(57)【要約】  本願の実施例は伝送リソースの決定方法及び装置、端末装置を提供し、端末装置は第１制御リソースセットの帯域幅又は第１指示信号の帯域幅に基づいて、ダウンリンク信号に対応する第１受信帯域幅を決定し、前記第１制御リソースセットはダウンリンク制御チャネルを伝送することに用いられ、前記第１指示信号は前記端末装置がダウンリンク制御チャネル監視時刻にダウンリンク制御チャネル監視を行うか否かを決定することに用いられることを含む。
2021533604.tif 000002
【特許請求の範囲】
【請求項１】
伝送リソースの決定方法であって、
端末装置は第１制御リソースセットの帯域幅又は第１指示信号の帯域幅に基づいて、ダウンリンク信号に対応する第１受信帯域幅を決定し、前記第１制御リソースセットはダウンリンク制御チャネルを伝送することに用いられ、前記第１指示信号は前記端末装置がダウンリンク制御チャネル監視時刻にダウンリンク制御チャネル監視を行うか否かを決定することに用いられることを含む伝送リソースの決定方法。
【請求項２】
前記端末装置が第１制御リソースセットの帯域幅に基づいて、ダウンリンク信号に対応する第１受信帯域幅を決定することは、
前記端末装置は前記端末装置に対する第１ダウンリンク制御チャネルを検出する前に、前記端末装置は第１制御リソースセットの帯域幅に基づいて、ダウンリンク信号に対応する第１受信帯域幅を決定することを含む請求項１に記載の方法。
【請求項３】
前記方法は更に、
前記端末装置は前記端末装置に対する第１ダウンリンク制御チャネルを検出した後、前記端末装置は現在アクティブ状態にある帯域幅部分（ＢＷＰ）の帯域幅に基づいて、ダウンリンク信号に対応する第２受信帯域幅を決定することを含む請求項２に記載の方法。
【請求項４】
前記方法は更に、
前記端末装置は前記端末装置に対する第１ダウンリンク制御チャネルを検出した後、ダウンリンク信号に対応する受信帯域幅を前記第１受信帯域幅から前記第２受信帯域幅に切り替え、前記端末装置が前記第１受信帯域幅から前記第２受信帯域幅に切り替えることは第１切り替え時間長に対応し、前記端末装置が前記第１受信帯域幅に基づいて検出した前記第１ダウンリンク制御チャネルと前記第１ダウンリンク制御チャネルによりスケジューリングされる第１ダウンリンクデータチャネルとの間の時間間隔は前記第１切り替え時間長以上であることを含む請求項３に記載の方法。
【請求項５】
前記端末装置が第１指示信号の帯域幅に基づいて、ダウンリンク信号に対応する第１受信帯域幅を決定することは、
前記端末装置はダウンリンク制御チャネル監視時刻にダウンリンク制御チャネル監視を行うことを指示するための第１指示信号を検出する前に、前記端末装置は第１指示信号の帯域幅に基づいて、ダウンリンク信号に対応する第１受信帯域幅を決定することを含む請求項１に記載の方法。
【請求項６】
前記方法は更に、
前記端末装置はダウンリンク制御チャネル監視時刻にダウンリンク制御チャネル監視を行うことを指示するための第１指示信号を検出した後、前記端末装置は現在アクティブ状態にあるＢＷＰの帯域幅に基づいて、ダウンリンク信号に対応する第２受信帯域幅を決定すること、又は、
前記端末装置はダウンリンク制御チャネル監視時刻にダウンリンク制御チャネル監視を行うことを指示するための第１指示信号を検出した後、前記端末装置は第１制御リソースセットの帯域幅に基づいて、ダウンリンク信号に対応する第３受信帯域幅を決定し、前記端末装置は前記第３帯域幅において前記端末装置に対する第１ダウンリンク制御チャネルを検出した後、前記端末装置は現在アクティブ状態にあるＢＷＰの帯域幅に基づいて、ダウンリンク信号に対応する第２受信帯域幅を決定することを含む請求項５に記載の方法。
【請求項７】
前記方法は更に、
前記端末装置はダウンリンク制御チャネル監視時刻にダウンリンク制御チャネル監視を行うことを指示するための第１指示信号を検出した後、ダウンリンク信号に対応する受信帯域幅を前記第１受信帯域幅から前記第２受信帯域幅に切り替え、前記端末装置が前記第１受信帯域幅から前記第２受信帯域幅に切り替えることは第２切り替え時間長に対応し、前記端末装置が前記第１受信帯域幅に基づいて検出した前記第１指示信号と前記第１指示信号に関連付けられるダウンリンク制御チャネル監視時刻との間の時間間隔は前記第２切り替え時間長以上であること、又は、
前記端末装置はダウンリンク制御チャネル監視時刻にダウンリンク制御チャネル監視を行うことを指示するための第１指示信号を検出した後、ダウンリンク信号に対応する受信帯域幅を前記第１受信帯域幅から前記第３受信帯域幅に切り替え、前記端末装置は前記第３帯域幅において前記端末装置に対する第１ダウンリンク制御チャネルを検出した後、ダウンリンク信号に対応する受信帯域幅を前記第３受信帯域幅から前記第２受信帯域幅に切り替え、前記端末装置が前記第１受信帯域幅から前記第３受信帯域幅に切り替えることは第３切り替え時間長に対応し、前記端末装置が前記第３受信帯域幅から前記第２受信帯域幅に切り替えることは第４切り替え時間長に対応し、前記端末装置が前記第１受信帯域幅に基づいて検出した前記第１指示信号と前記第１指示信号に関連付けられるダウンリンク制御チャネル監視時刻との間の時間間隔は前記第３切り替え時間長以上であり、前記端末装置が前記第３受信帯域幅に基づいて検出した前記第１ダウンリンク制御チャネルと前記第１ダウンリンク制御チャネルによりスケジューリングされる第１ダウンリンクデータチャネルとの間の時間間隔は前記第４切り替え時間長以上であることを含む請求項６に記載の方法。
【請求項８】
前記第１指示信号は少なくとも１つのダウンリンク制御チャネル監視時刻と関連付け関係を有し、前記第１指示信号と前記少なくとも１つのダウンリンク制御チャネル監視時刻との間の関連付け関係は時間において周期的に出現する請求項７に記載の方法。
【請求項９】
前記端末装置に対して構成された複数のサーチ空間が時間的に重なる部分を有し、又は時間上の時間間隔が第１閾値以下である場合、前記端末装置は前記複数のサーチ空間のそれぞれに対応する第１制御リソースセットの第１帯域幅に基づいて、ダウンリンク信号の第１受信帯域幅を決定する請求項１〜８のいずれか一項に記載の方法。
【請求項１０】
前記端末装置が、前記複数のサーチ空間のそれぞれに対応する第１制御リソースセットの第１帯域幅に基づいて、ダウンリンク信号の第１受信帯域幅を決定することは、
前記端末装置は、前記ダウンリンク信号の第１受信帯域幅がすべての前記複数のサーチ空間のそれぞれに対応する第１制御リソースセットの第１帯域幅をカバーすることを決定することを含む請求項９に記載の方法。
【請求項１１】
前記複数のサーチ空間が時間的に重なる時間範囲内に、前記ダウンリンク信号の第１受信帯域幅はすべての前記複数のサーチ空間のそれぞれに対応する第１制御リソースセットの第１帯域幅をカバーし、又は、
前記複数のサーチ空間の時間上の時間間隔が第１閾値以下である時間範囲内に、前記ダウンリンク信号の第１受信帯域幅はすべての前記複数のサーチ空間のそれぞれに対応する第１制御リソースセットの第１帯域幅をカバーする請求項１０に記載の方法。
【請求項１２】
前記方法は更に、
第１タイマーに基づいて、ダウンリンク信号に対応する受信帯域幅が前記第１受信帯域幅又は前記第２受信帯域幅であることを決定し、前記第２受信帯域幅は現在アクティブ状態にあるＢＷＰの帯域幅に基づいて決定されることを含む請求項１〜１１のいずれか一項に記載の方法。
【請求項１３】
前記第１タイマーに基づいて、ダウンリンク信号に対応する受信帯域幅が前記第１受信帯域幅又は前記第２受信帯域幅であることを決定することは、
前記端末装置は前記第１タイマーを起動し、前記端末装置が任意のダウンリンク制御チャネル監視時刻にダウンリンク制御チャネルを監視した場合、前記第１タイマーを再起動し、前記端末装置がダウンリンク制御チャネルを監視していない場合、前記第１タイマーが計時を継続することと、
前記第１タイマーがタイムアウトになる場合、前記端末装置はダウンリンク信号に対応する受信帯域幅を前記第２受信帯域幅から前記第１受信帯域幅に切り替えることと、を含む請求項１２に記載の方法。
【請求項１４】
前記端末装置がダウンリンク制御チャネルを監視していない場合、前記第１タイマーが計時を継続することは、
前記端末装置が１つのダウンリンク制御チャネル監視時刻にダウンリンク制御チャネルを監視していない場合、前記第１タイマーの計数値が増加することを含む請求項１３に記載の方法。
【請求項１５】
前記第１タイマーに基づいて、ダウンリンク信号に対応する受信帯域幅が前記第１受信帯域幅又は前記第２受信帯域幅であることを決定することは、
前記端末装置は前記第１タイマーを起動し、前記端末装置は任意の第１指示信号監視時刻に、ダウンリンク制御チャネル監視時刻にダウンリンク制御チャネル監視を行うことを指示するための第１指示信号を監視した場合、前記第１タイマーを再起動し、前記端末装置はダウンリンク制御チャネル監視時刻にダウンリンク制御チャネル監視を行うことを指示するための第１指示信号を監視していない場合、前記第１タイマーが計時を継続することと、
前記第１タイマーがタイムアウトになる場合、前記端末装置はダウンリンク信号に対応する受信帯域幅をから前記第１受信帯域幅に切り替えることと、を含む請求項１２に記載の方法。
【請求項１６】
前記端末装置が、ダウンリンク制御チャネル監視時刻にダウンリンク制御チャネル監視を行うことを指示するための第１指示信号を監視していない場合、前記第１タイマーが計時を継続することは、
前記端末装置は１つの第１指示信号監視時刻に、ダウンリンク制御チャネル監視時刻にダウンリンク制御チャネル監視を行うことを指示するための第１指示信号を監視していない場合、前記第１タイマーの計数値が増加することを含む請求項１５に記載の方法。
【請求項１７】
前記第１タイマーの第１時間長情報はネットワーク装置により構成され、又は、
前記第１タイマーの第１時間長情報は予め構成される請求項１２〜１６のいずれか一項に記載の方法。
【請求項１８】
前記第１タイマーに基づいて、ダウンリンク信号に対応する受信帯域幅が前記第１受信帯域幅又は前記第２受信帯域幅であることを決定することは、
前記端末装置はダウンリンク信号に対応する受信帯域幅を前記第１受信帯域幅から第２受信帯域幅に切り替えた後、第１タイマーに基づいて、ダウンリンク信号に対応する受信帯域幅が前記第１受信帯域幅又は前記第２受信帯域幅であることを決定することを含む請求項１２〜１７のいずれか一項に記載の方法。
【請求項１９】
伝送リソースの決定装置であって、第１決定ユニットを備え、
前記第１決定ユニットは、第１制御リソースセットの帯域幅又は第１指示信号の帯域幅に基づいて、ダウンリンク信号に対応する第１受信帯域幅を決定することに用いられ、前記第１制御リソースセットはダウンリンク制御チャネルを伝送することに用いられ、前記第１指示信号は前記端末装置がダウンリンク制御チャネル監視時刻にダウンリンク制御チャネル監視を行うか否かを決定することに用いられる伝送リソースの決定装置。
【請求項２０】
前記端末装置は前記端末装置に対する第１ダウンリンク制御チャネルを検出する前に、前記第１決定ユニットは第１制御リソースセットの帯域幅に基づいて、ダウンリンク信号に対応する第１受信帯域幅を決定する請求項１９に記載の装置。
【請求項２１】
前記端末装置は前記端末装置に対する第１ダウンリンク制御チャネルを検出した後、前記第１決定ユニットは現在アクティブ状態にある帯域幅部分（ＢＷＰ）の帯域幅に基づいて、ダウンリンク信号に対応する第２受信帯域幅を決定する請求項２０に記載の装置。
【請求項２２】
切り替えユニットを更に備え、
前記端末装置は前記端末装置に対する第１ダウンリンク制御チャネルを検出した後、前記切り替えユニットはダウンリンク信号に対応する受信帯域幅を前記第１受信帯域幅から前記第２受信帯域幅に切り替え、前記端末装置が前記第１受信帯域幅から前記第２受信帯域幅に切り替えることは第１切り替え時間長に対応し、前記端末装置が前記第１受信帯域幅に基づいて検出した前記第１ダウンリンク制御チャネルと前記第１ダウンリンク制御チャネルによりスケジューリングされる第１ダウンリンクデータチャネルとの間の時間間隔は前記第１切り替え時間長以上である請求項２１に記載の装置。
【請求項２３】
前記端末装置はダウンリンク制御チャネル監視時刻にダウンリンク制御チャネル監視を行うことを指示するための第１指示信号を検出する前に、前記第１決定ユニットは第１指示信号の帯域幅に基づいて、ダウンリンク信号に対応する第１受信帯域幅を決定する請求項１９に記載の装置。
【請求項２４】
前記端末装置はダウンリンク制御チャネル監視時刻にダウンリンク制御チャネル監視を行うことを指示するための第１指示信号を検出した後、前記第１決定ユニットは現在アクティブ状態にあるＢＷＰの帯域幅に基づいて、ダウンリンク信号に対応する第２受信帯域幅を決定し、又は、
前記端末装置はダウンリンク制御チャネル監視時刻にダウンリンク制御チャネル監視を行うことを指示するための第１指示信号を検出した後、前記第１決定ユニットは第１制御リソースセットの帯域幅に基づいて、ダウンリンク信号に対応する第３受信帯域幅を決定し、前記端末装置は前記第３帯域幅において前記端末装置に対する第１ダウンリンク制御チャネルを検出した後、前記第１決定ユニットは現在アクティブ状態にあるＢＷＰの帯域幅に基づいて、ダウンリンク信号に対応する第２受信帯域幅を決定する請求項２３に記載の装置。
【請求項２５】
切り替えユニットを更に備え、
前記端末装置はダウンリンク制御チャネル監視時刻にダウンリンク制御チャネル監視を行うことを指示するための第１指示信号を検出した後、前記切り替えユニットはダウンリンク信号に対応する受信帯域幅を前記第１受信帯域幅から前記第２受信帯域幅に切り替え、前記端末装置が前記第１受信帯域幅から前記第２受信帯域幅に切り替えることは第２切り替え時間長に対応し、前記端末装置が前記第１受信帯域幅に基づいて検出した前記第１指示信号と前記第１指示信号に関連付けられるダウンリンク制御チャネル監視時刻との間の時間間隔は前記第２切り替え時間長以上であり、又は、
前記端末装置はダウンリンク制御チャネル監視時刻にダウンリンク制御チャネル監視を行うことを指示するための第１指示信号を検出した後、前記切り替えユニットはダウンリンク信号に対応する受信帯域幅を前記第１受信帯域幅から前記第３受信帯域幅に切り替え、前記端末装置は前記第３帯域幅において前記端末装置に対する第１ダウンリンク制御チャネルを検出した後、前記切り替えユニットはダウンリンク信号に対応する受信帯域幅を前記第３受信帯域幅から前記第２受信帯域幅に切り替え、前記端末装置が前記第１受信帯域幅から前記第３受信帯域幅に切り替えることは第３切り替え時間長に対応し、前記端末装置が前記第３受信帯域幅から前記第２受信帯域幅に切り替えることは第４切り替え時間長に対応し、前記端末装置が前記第１受信帯域幅に基づいて検出した前記第１指示信号と前記第１指示信号に関連付けられるダウンリンク制御チャネル監視時刻との間の時間間隔は前記第３切り替え時間長以上であり、前記端末装置が前記第３受信帯域幅に基づいて検出した前記第１ダウンリンク制御チャネルと前記第１ダウンリンク制御チャネルによりスケジューリングされる第１ダウンリンクデータチャネルとの間の時間間隔は前記第４切り替え時間長以上である請求項２４に記載の装置。
【請求項２６】
前記第１指示信号は少なくとも１つのダウンリンク制御チャネル監視時刻と関連付け関係を有し、前記第１指示信号と前記少なくとも１つのダウンリンク制御チャネル監視時刻との間の関連付け関係は時間において周期的に出現する請求項２５に記載の装置。
【請求項２７】
前記端末装置に対して構成された複数のサーチ空間が時間的に重なる部分を有し、又は時間上の時間間隔が第１閾値以下である場合、前記第１決定ユニットは前記複数のサーチ空間のそれぞれに対応する第１制御リソースセットの第１帯域幅に基づいて、ダウンリンク信号の第１受信帯域幅を決定する請求項１９〜２６のいずれか一項に記載の装置。
【請求項２８】
前記第１決定ユニットは、前記ダウンリンク信号の第１受信帯域幅がすべての前記複数のサーチ空間のそれぞれに対応する第１制御リソースセットの第１帯域幅をカバーすることを決定する請求項２７に記載の装置。
【請求項２９】
前記複数のサーチ空間が時間的に重なる時間範囲内に、前記ダウンリンク信号の第１受信帯域幅はすべての前記複数のサーチ空間のそれぞれに対応する第１制御リソースセットの第１帯域幅をカバーし、又は、
前記複数のサーチ空間の時間上の時間間隔が第１閾値以下である時間範囲内に、前記ダウンリンク信号の第１受信帯域幅はすべての前記複数のサーチ空間のそれぞれに対応する第１制御リソースセットの第１帯域幅をカバーする請求項２８に記載の装置。
【請求項３０】
第２決定ユニットを更に備え、
前記第２決定ユニットは、第１タイマーに基づいて、ダウンリンク信号に対応する受信帯域幅が前記第１受信帯域幅又は前記第２受信帯域幅であることを決定することに用いられ、前記第２受信帯域幅は現在アクティブ状態にあるＢＷＰの帯域幅に基づいて決定される請求項１９〜２９のいずれか一項に記載の装置。
【請求項３１】
前記第２決定ユニットは、
前記第１タイマーを起動し、前記端末装置が任意のダウンリンク制御チャネル監視時刻にダウンリンク制御チャネルを監視した場合、前記第１タイマーを再起動することと、
前記端末装置がダウンリンク制御チャネルを監視していない場合、前記第１タイマーが計時を継続することと、
前記第１タイマーがタイムアウトになる場合、前記端末装置はダウンリンク信号に対応する受信帯域幅を前記第２受信帯域幅から前記第１受信帯域幅に切り替えることと、に用いられる請求項３０に記載の装置。
【請求項３２】
前記端末装置が１つのダウンリンク制御チャネル監視時刻にダウンリンク制御チャネルを監視していない場合、前記第１タイマーの計数値が増加する請求項３１に記載の装置。
【請求項３３】
前記第２決定ユニットは、
前記第１タイマーを起動し、前記端末装置は任意の第１指示信号監視時刻に、ダウンリンク制御チャネル監視時刻にダウンリンク制御チャネル監視を行うことを指示するための第１指示信号を監視した場合、前記第１タイマーを再起動することと、
前記端末装置はダウンリンク制御チャネル監視時刻にダウンリンク制御チャネル監視を行うことを指示するための第１指示信号を監視していない場合、前記第１タイマーが計時を継続することと、
前記第１タイマーがタイムアウトになる場合、前記端末装置はダウンリンク信号に対応する受信帯域幅をから前記第１受信帯域幅に切り替えることと、に用いられる請求項３０に記載の装置。
【請求項３４】
前記第２決定ユニットは、
前記端末装置は１つの第１指示信号監視時刻に、ダウンリンク制御チャネル監視時刻にダウンリンク制御チャネル監視を行うことを指示するための第１指示信号を監視していない場合、前記第１タイマーの計数値が増加することに用いられる請求項３３に記載の装置。
【請求項３５】
前記第１タイマーの第１時間長情報はネットワーク装置により構成され、又は、
前記第１タイマーの第１時間長情報は予め構成される請求項３０〜３４のいずれか一項に記載の装置。
【請求項３６】
前記端末装置はダウンリンク信号に対応する受信帯域幅を前記第１受信帯域幅から第２受信帯域幅に切り替えた後、前記第２決定ユニットは第１タイマーに基づいて、ダウンリンク信号に対応する受信帯域幅が前記第１受信帯域幅又は前記第２受信帯域幅であることを決定する請求項３０〜３５のいずれか一項に記載の装置。
【請求項３７】
伝送リソースの決定方法であって、
端末装置は第１キャリアにおける第１ダウンリンク制御チャネル又は第１指示信号に基づいて、第２キャリアを受信するか否かを決定し、前記第１ダウンリンク制御チャネルは前記第２キャリアにおけるデータチャネルをスケジューリングでき、前記第１指示信号は前記端末装置が第２ダウンリンク制御チャネルを監視するか否かを指示することに用いられ、前記第２ダウンリンク制御チャネルは前記第２キャリアにおけるデータチャネルをスケジューリングすることに用いられることを含む伝送リソースの決定方法。
【請求項３８】
前記端末装置が第１キャリアにおける第１ダウンリンク制御チャネルに基づいて、第２キャリアを受信するか否かを決定することは、
前記端末装置は前記第１キャリアにおいて、前記第２キャリアにおけるデータチャネルをスケジューリングする第１ダウンリンク制御チャネルを検出する前に、前記端末装置は前記第２キャリアを受信しないことと、
前記端末装置は前記第１キャリアにおいて、前記第２キャリアにおけるデータチャネルをスケジューリングする第１ダウンリンク制御チャネルを検出した後、前記端末装置は前記第２キャリアを受信することと、を含む請求項３７に記載の方法。
【請求項３９】
前記端末装置が前記第２キャリアを受信しない第１状態から前記第２キャリアを受信する第２状態に切り替えることは第５切り替え時間長に対応し、前記端末装置が前記第１状態で検出した前記第１ダウンリンク制御チャネルと前記第１ダウンリンク制御チャネルによりスケジューリングされるデータチャネルとの間の時間間隔は前記第５切り替え時間長以上である請求項３８に記載の方法。
【請求項４０】
前記端末装置が第１キャリアにおける第１指示信号に基づいて、第２キャリアを受信するか否かを決定することは、
前記端末装置は前記第１キャリアにおいて、前記第２ダウンリンク制御チャネルを監視するように前記端末装置に指示するための第１指示信号を検出する前に、前記端末装置は前記第２キャリアを受信しないことと、
前記端末装置は前記第１キャリアにおいて、前記第２ダウンリンク制御チャネルを監視するように前記端末装置に指示するための第１指示信号を検出した後、前記端末装置は前記第２キャリアを受信することと、を含む請求項３７に記載の方法。
【請求項４１】
前記端末装置が前記第２キャリアを受信しない第１状態から前記第２キャリアを受信する第２状態に切り替えることは第５切り替え時間長に対応し、前記端末装置が前記第１状態で検出した、前記第２ダウンリンク制御チャネルを監視するように前記端末装置に指示するための第１指示信号と、前記第２ダウンリンク制御チャネル又は前記第２ダウンリンク制御チャネルによりスケジューリングされるデータチャネルとの間の時間間隔は前記第５切り替え時間長以上である請求項４０に記載の方法。
【請求項４２】
前記第２ダウンリンク制御チャネルは前記第１キャリアに位置し、前記第１指示信号は前記第１キャリアにおける少なくとも１つの第２ダウンリンク制御チャネルと関連付け関係を有し、又は、
前記第２ダウンリンク制御チャネルは前記第２キャリアに位置し、前記第１指示信号は前記第２キャリアにおける少なくとも１つの第２ダウンリンク制御チャネルと関連付け関係を有する請求項４０又は４１に記載の方法。
【請求項４３】
第２タイマーに基づいて、前記第２キャリアを受信するか否かを決定することを更に含む請求項３７〜４２のいずれか一項に記載の方法。
【請求項４４】
前記第２タイマーに基づいて、前記第２キャリアを受信するか否かを決定することは、
前記端末装置が前記第２キャリアを受信した後、第２タイマーに基づいて前記第２キャリアの受信をキャンセルするか否かを決定することを含む請求項４３に記載の方法。
【請求項４５】
前記端末装置が前記第２キャリアを受信した後、第２タイマーに基づいて前記第２キャリアの受信をキャンセルするか否かを決定することは、
前記端末装置は前記第２タイマーを起動し、前記端末装置は前記第１キャリアにおける任意ダウンリンク制御チャネル監視時刻に、前記第２キャリアにおけるデータチャネルをスケジューリングするダウンリンク制御チャネルを監視した場合、前記第２タイマーを再起動し、前記端末装置は前記第２キャリアにおけるデータチャネルをスケジューリングするダウンリンク制御チャネルを監視していない場合、前記第２タイマーが計時を継続することと、
前記第２タイマーがタイムアウトになる場合、前記端末装置は前記第２キャリアの受信をキャンセルすることと、を含む請求項４４に記載の方法。
【請求項４６】
前記端末装置が、前記第２キャリアにおけるデータチャネルをスケジューリングするダウンリンク制御チャネルを監視していない場合、前記第２タイマーが計時を継続することは、
前記端末装置は前記第１キャリアにおける１つのダウンリンク制御チャネル監視時刻に、前記第２キャリアにおけるデータチャネルをスケジューリングするダウンリンク制御チャネルを監視していない場合、前記第２タイマーの計数値が増加することを含む請求項４５に記載の方法。
【請求項４７】
前記端末装置が前記第２キャリアを受信した後、第２タイマーに基づいて前記第２キャリアの受信をキャンセルするか否かを決定することは、
前記端末装置は前記第２タイマーを起動し、前記端末装置は前記第１キャリアにおける任意の第１指示信号監視時刻に、前記第２ダウンリンク制御チャネルを監視するように前記端末装置に指示するための第１指示信号を監視した場合、前記第２タイマーを再起動し、前記端末装置は前記第２ダウンリンク制御チャネルを監視するように前記端末装置に指示するための第１指示信号を監視していない場合、前記第２タイマーが計時を継続することと、
前記第２タイマーがタイムアウトになる場合、前記端末装置は前記第２キャリアの受信をキャンセルすることと、を含む請求項４４に記載の方法。
【請求項４８】
前記端末装置が、前記第２ダウンリンク制御チャネルを監視するように前記端末装置に指示するための第１指示信号を監視していない場合、前記第２タイマーが計時を継続することは、
前記端末装置は前記第１キャリアにおける１つの第１指示信号監視時刻に、前記第２ダウンリンク制御チャネルを監視するように前記端末装置に指示するための第１指示信号を監視していない場合、前記第２タイマーの計数値が増加することを含む請求項４７に記載の方法。
【請求項４９】
前記第２タイマーの第２時間長情報はネットワーク装置により構成され、又は、
前記第２タイマーの第２時間長情報は予め構成される請求項４４〜４８のいずれか一項に記載の方法。
【請求項５０】
前記端末装置は前記第２キャリアを受信することを決定した場合、前記端末装置は前記第２キャリアの第１帯域幅部分（ＢＷＰ）を受信し、前記第１ＢＷＰは前記端末装置に対してアクティブ状態にあるＢＷＰである請求項３７〜４９のいずれか一項に記載の方法。
【請求項５１】
伝送リソースの決定装置であって、第１決定ユニットを備え、
前記第１決定ユニットは、第１キャリアにおける第１ダウンリンク制御チャネル又は第１指示信号に基づいて、第２キャリアを受信するか否かを決定することに用いられ、前記第１ダウンリンク制御チャネルは前記第２キャリアにおけるデータチャネルをスケジューリングでき、前記第１指示信号は前記端末装置が第２ダウンリンク制御チャネルを監視するか否かを指示することに用いられ、前記第２ダウンリンク制御チャネルは前記第２キャリアにおけるデータチャネルをスケジューリングすることに用いられる伝送リソースの決定装置。
【請求項５２】
前記端末装置は前記第１キャリアにおいて、前記第２キャリアにおけるデータチャネルをスケジューリングする第１ダウンリンク制御チャネルを検出する前に、前記第１決定ユニットは端末装置が前記第２キャリアを受信しないことを決定し、
前記端末装置は前記第１キャリアにおいて、前記第２キャリアにおけるデータチャネルをスケジューリングする第１ダウンリンク制御チャネルを検出した後、前記第１決定ユニットは前記端末装置が前記第２キャリアを受信することを決定する請求項５１に記載の装置。
【請求項５３】
切り替えユニットを更に備え、
前記切り替えユニットは、前記端末装置を前記第２キャリアを受信しない第１状態から前記第２キャリアを受信する第２状態に切り替えることに用いられ、前記第１状態から前記第２状態に切り替えることは第５切り替え時間長に対応し、前記端末装置が前記第１状態で検出した前記第１ダウンリンク制御チャネルと前記第１ダウンリンク制御チャネルによりスケジューリングされるデータチャネルとの間の時間間隔は前記第５切り替え時間長以上である請求項５２に記載の装置。
【請求項５４】
前記端末装置は前記第１キャリアにおいて、前記第２ダウンリンク制御チャネルを監視するように前記端末装置に指示するための第１指示信号を検出する前に、前記第１決定ユニットは端末装置が前記第２キャリアを受信しないことを決定し、
前記端末装置は前記第１キャリアにおいて、前記第２ダウンリンク制御チャネルを監視するように前記端末装置に指示するための第１指示信号を検出した後、前記第１決定ユニットは前記端末装置が前記第２キャリアを受信することを決定する請求項５１に記載の装置。
【請求項５５】
切り替えユニットを更に備え、
前記切り替えユニットは、前記端末装置を前記第２キャリアを受信しない第１状態から前記第２キャリアを受信する第２状態に切り替えることに用いられ、前記第１状態から前記第２状態に切り替えることは第５切り替え時間長に対応し、前記端末装置が前記第１状態で検出した、前記第２ダウンリンク制御チャネルを監視するように前記端末装置に指示するための第１指示信号と、前記第２ダウンリンク制御チャネル又は前記第２ダウンリンク制御チャネルによりスケジューリングされるデータチャネルとの間の時間間隔は前記第５切り替え時間長以上である請求項５４に記載の装置。
【請求項５６】
前記第２ダウンリンク制御チャネルは前記第１キャリアに位置し、前記第１指示信号は前記第１キャリアにおける少なくとも１つの第２ダウンリンク制御チャネルと関連付け関係を有し、又は、
前記第２ダウンリンク制御チャネルは前記第２キャリアに位置し、前記第１指示信号は前記第２キャリアにおける少なくとも１つの第２ダウンリンク制御チャネルと関連付け関係を有する請求項５４又は５５に記載の装置。
【請求項５７】
第２タイマーに基づいて、前記第２キャリアを受信するか否かを決定することに用いられる第２決定ユニットを更に備える請求項５１〜５６のいずれか一項に記載の装置。
【請求項５８】
前記端末装置が前記第２キャリアを受信した後、前記第２決定ユニットは第２タイマーに基づいて前記第２キャリアの受信をキャンセルするか否かを決定する請求項５７に記載の装置。
【請求項５９】
前記第２決定ユニットは、
前記第２タイマーを起動し、前記端末装置は前記第１キャリアにおける任意ダウンリンク制御チャネル監視時刻に、前記第２キャリアにおけるデータチャネルをスケジューリングするダウンリンク制御チャネルを監視した場合、前記第２タイマーを再起動することと、
前記端末装置は前記第２キャリアにおけるデータチャネルをスケジューリングするダウンリンク制御チャネルを監視していない場合、前記第２タイマーが計時を継続することと、
前記第２タイマーがタイムアウトになる場合、前記端末装置は前記第２キャリアの受信をキャンセルすることと、に用いられる請求項５８に記載の装置。
【請求項６０】
前記第２決定ユニットは、
前記端末装置は前記第１キャリアにおける１つのダウンリンク制御チャネル監視時刻に、前記第２キャリアにおけるデータチャネルをスケジューリングするダウンリンク制御チャネルを監視していない場合、前記第２タイマーの計数値が増加することに用いられる請求項５９に記載の装置。
【請求項６１】
前記第２決定ユニットは、
前記第２タイマーを起動し、前記端末装置は前記第１キャリアにおける任意の第１指示信号監視時刻に、前記第２ダウンリンク制御チャネルを監視するように前記端末装置に指示するための第１指示信号を監視した場合、前記第２タイマーを再起動することと、
前記端末装置は前記第２ダウンリンク制御チャネルを監視するように前記端末装置に指示するための第１指示信号を監視していない場合、前記第２タイマーが計時を継続することと、
前記第２タイマーがタイムアウトになる場合、前記端末装置は前記第２キャリアの受信をキャンセルすることと、に用いられる請求項５８に記載の装置。
【請求項６２】
前記第２決定ユニットは、
前記端末装置は前記第１キャリアにおける１つの第１指示信号監視時刻に、前記第２ダウンリンク制御チャネルを監視するように前記端末装置に指示するための第１指示信号を監視していない場合、前記第２タイマーの計数値が増加することに用いられる請求項６１に記載の装置。
【請求項６３】
前記第２タイマーの第２時間長情報はネットワーク装置により構成され、又は、
前記第２タイマーの第２時間長情報は予め構成される請求項５８〜６２のいずれか一項に記載の装置。
【請求項６４】
伝送ユニットを更に備え、
前記伝送ユニットは、前記第２キャリアを受信することを決定した場合、前記第２キャリアの第１帯域幅部分（ＢＷＰ）を受信することに用いられ、前記第１ＢＷＰは前記端末装置に対してアクティブ状態にあるＢＷＰである請求項５１〜６３のいずれか一項に記載の装置。
【請求項６５】
端末装置であって、プロセッサ及びメモリを備え、該メモリはコンピュータプログラムを記憶することに用いられ、前記プロセッサは前記メモリに記憶されるコンピュータプログラムを呼び出して実行し、請求項１〜１８のいずれか一項に記載の方法、又は請求項３７〜５０のいずれか一項に記載の方法を実行することに用いられる端末装置。
【請求項６６】
チップであって、メモリからコンピュータプログラムを呼び出して実行し、前記チップを搭載する装置に請求項１〜１８のいずれか一項に記載の方法、又は請求項３７〜５０のいずれか一項に記載の方法を実行させることに用いられるプロセッサを備えるチップ。
【請求項６７】
コンピュータ可読記憶媒体であって、コンピュータプログラムを記憶することに用いられ、前記コンピュータプログラムはコンピュータに請求項１〜１８のいずれか一項に記載の方法、又は請求項３７〜５０のいずれか一項に記載の方法を実行させるコンピュータ可読記憶媒体。
【請求項６８】
コンピュータプログラム製品であって、コンピュータプログラム命令を含み、該コンピュータプログラム命令はコンピュータに請求項１〜１８のいずれか一項に記載の方法、又は請求項３７〜５０のいずれか一項に記載の方法を実行させるコンピュータプログラム製品。
【請求項６９】
コンピュータに請求項１〜１８のいずれか一項に記載の方法、又は請求項３７〜５０のいずれか一項に記載の方法を実行させるコンピュータプログラム。
【発明の詳細な説明】
【技術分野】
【０００１】
本願の実施例はモバイル通信の技術分野に関し、具体的に、伝送リソースの決定方法及び装置、端末装置に関する。
【背景技術】
【０００２】
新無線（ＮＲ、Ｎｅｗ  Ｒａｄｉｏ）の大規模システム帯域幅で、端末装置が異なる帯域幅を採用して伝送を行う柔軟性をサポートするために、ＮＲは帯域幅部分（ＢＷＰ、Ｂａｎｄ  Ｗｉｄｔｈ  Ｐａｒｔ）の概念を導入している。ＢＷＰの導入は端末装置の省電力化に有利である。ＮＲの既存の標準に基づいて、ネットワークは端末装置に多くとも４つのＢＷＰを構成できる。これに基づいて、複数のＢＷＰ構成では、大帯域幅のＢＷＰを含んでもよく、小帯域幅のＢＷＰを含んでもよい。端末装置のサービス負荷が大きい期間に、端末装置は大帯域幅のＢＷＰに切り替えてデータを送受信し、端末装置のサービス負荷が小さい期間に、端末装置は小帯域幅のＢＷＰに切り替えてデータを送受信し、それにより端末装置の消費電力を低減させる。
【０００３】
しかしながら、従来のＢＷＰ操作メカニズムに基づいて、端末装置が大帯域幅のＢＷＰで動作するように構成される場合、端末装置はスケジューリングされていないにもかかわらず、ＢＷＰの帯域幅全体を受信する必要がある。その理由について、基地局は端末装置に対してデータスケジューリングを随時開始する可能性があり、端末装置がＢＷＰの帯域幅全体を受信しなければ、データ信号の漏れを招く恐れがある。
【発明の概要】
【発明が解決しようとする課題】
【０００４】
本願の実施例は伝送リソースの決定方法及び装置、端末装置を提供する。
【課題を解決するための手段】
【０００５】
本願の実施例に係る伝送リソースの決定方法は、
端末装置は第１制御リソースセットの帯域幅又は第１指示信号の帯域幅に基づいて、ダウンリンク信号に対応する第１受信帯域幅を決定し、前記第１制御リソースセットはダウンリンク制御チャネルを伝送することに用いられ、前記第１指示信号は前記端末装置がダウンリンク制御チャネル監視時刻にダウンリンク制御チャネル監視を行うか否かを決定することに用いられることを含む。
【０００６】
本願の実施例に係る伝送リソースの決定装置は、第１決定ユニットを備え、
前記第１決定ユニットは、第１制御リソースセットの帯域幅又は第１指示信号の帯域幅に基づいて、ダウンリンク信号に対応する第１受信帯域幅を決定することに用いられ、前記第１制御リソースセットはダウンリンク制御チャネルを伝送することに用いられ、前記第１指示信号は前記端末装置がダウンリンク制御チャネル監視時刻にダウンリンク制御チャネル監視を行うか否かを決定することに用いられる。
【０００７】
本願の実施例に係る伝送リソースの決定方法は、
端末装置は第１キャリアにおける第１ダウンリンク制御チャネル又は第１指示信号に基づいて、第２キャリアを受信するか否かを決定し、前記第１ダウンリンク制御チャネルは前記第２キャリアにおけるデータチャネルをスケジューリングでき、前記第１指示信号は前記端末装置が第２ダウンリンク制御チャネルを監視するか否かを指示することに用いられ、前記第２ダウンリンク制御チャネルは前記第２キャリアにおけるデータチャネルをスケジューリングすることに用いられることを含む。
【０００８】
本願の実施例に係る伝送リソースの決定装置は、第１決定ユニットを備え、
前記第１決定ユニットは、第１キャリアにおける第１ダウンリンク制御チャネル又は第１指示信号に基づいて、第２キャリアを受信するか否かを決定することに用いられ、前記第１ダウンリンク制御チャネルは前記第２キャリアにおけるデータチャネルをスケジューリングでき、前記第１指示信号は前記端末装置が第２ダウンリンク制御チャネルを監視するか否かを指示することに用いられ、前記第２ダウンリンク制御チャネルは前記第２キャリアにおけるデータチャネルをスケジューリングすることに用いられる。
【０００９】
本願の実施例に係る端末装置は、プロセッサ及びメモリを備える。該メモリはコンピュータプログラムを記憶することに用いられ、該プロセッサは該メモリに記憶されるコンピュータプログラムを呼び出して実行し、上記伝送リソースの決定方法を実行することに用いられる。
【００１０】
本願の実施例に係るチップは、上記伝送リソースの決定方法を実現することに用いられる。
【００１１】
具体的に、該チップは、メモリからコンピュータプログラムを呼び出して実行し、該チップを搭載する装置に上記伝送リソースの決定方法を実行させることに用いられるプロセッサを備える。
【００１２】
本願の実施例に係るコンピュータ可読記憶媒体は、コンピュータに上記伝送リソースの決定方法を実行させるコンピュータプログラムを記憶することに用いられる。
【００１３】
本願の実施例に係るコンピュータプログラム製品は、コンピュータに上記伝送リソースの決定方法を実行させるコンピュータプログラム命令を含む。
【００１４】
本願の実施例に係るコンピュータプログラムは、コンピュータにより実行されると、コンピュータに上記伝送リソースの決定方法を実行させる。
【発明の効果】
【００１５】
上記技術的解決手段によれば、端末装置は第１制御リソースセットの帯域幅又は第１指示信号の帯域幅に基づいて、ダウンリンク信号に対応する第１受信帯域幅を決定することができる。第１制御リソースセットの帯域幅又は第１指示信号の帯域幅が端末装置の現在アクティブ化されているＢＷＰの帯域幅よりも小さいため、省電力を実現できる。
【図面の簡単な説明】
【００１６】
【図１】図１は本願の実施例に係る通信システムのアーキテクチャの模式図である。
【図２】図２は本願の実施例に係る伝送リソースの決定方法の模式的なフローチャート１である。
【図３】図３は本願の実施例に係るＣＯＲＥＳＥＴ  ＢＷＰに基づくＰＤＣＣＨ監視の模式図である。
【図４】図４は本願の実施例に係る省電力信号ＢＷＰに基づく信号受信の模式図である。
【図５】図５は本願の実施例に係るダウンリンク受信帯域幅の模式図１である。
【図６】図６は本願の実施例に係るダウンリンク受信帯域幅の模式図２である。
【図７】図７は本願の実施例に係る伝送リソースの決定装置の構造模式図１である。
【図８】図８は本願の実施例に係る伝送リソースの決定方法の模式的なフローチャート２である。
【図９】図９は本願の実施例に係る伝送リソースの決定装置の構造模式図２である。
【図１０】図１０は本願の実施例に係る通信装置の構造模式図である。
【図１１】図１１は本願の実施例におけるチップの構造模式図である。
【図１２】図１２は本願の実施例に係る通信システムの模式的なブロック図である。
【発明を実施するための形態】
【００１７】
以下、本願の実施例の図面を参照しながら、本願の実施例の技術的解決手段を説明する。明らかなように、説明される実施例は本願の一部の実施例であり、全部の実施例ではない。本願の実施例に基づいて、当業者が創造的な努力をせずに取得する他の実施例はすべて本願の保護範囲に属する。
【００１８】
本願の実施例の技術的解決手段は、例えば、モバイル通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、ワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム又は５Ｇシステム等の各種の通信システムに適用できる。
【００１９】
例示的に、本願の実施例に適用される通信システム１００は図１に示される。該通信システム１００はネットワーク装置１１０を備えてもよく、ネットワーク装置１１０は端末装置１２０（又は、通信端末装置、端末装置と呼ばれる）と通信する装置であってもよい。ネットワーク装置１１０は特定の地理的エリアに通信カバレッジを提供し、且つ該カバレッジエリア内に位置する端末装置と通信可能である。選択肢として、該ネットワーク装置１１０はＧＳＭシステム又はＣＤＭＡシステムにおける基地局（Ｂａｓｅ  Ｔｒａｎｓｃｅｉｖｅｒ  Ｓｔａｔｉｏｎ、ＢＴＳ）であってもよく、ＷＣＤＭＡシステムにおける基地局（ＮｏｄｅＢ、ＮＢ）であってもよく、ＬＴＥシステムにおける発展型基地局（Ｅｖｏｌｕｔｉｏｎａｌ  Ｎｏｄｅ  Ｂ、ｅＮＢ又はｅＮｏｄｅＢ）、又はクラウド無線アクセスネットワーク（Ｃｌｏｕｄ  Ｒａｄｉｏ  Ａｃｃｅｓｓ  Ｎｅｔｗｏｒｋ、ＣＲＡＮ）における無線コントローラであってもよい。又は該ネットワーク装置は移動交換局、中継局、アクセスポイント、車載装置、ウェアラブル装置、ハブ、スイッチ、ブリッジ、ルータ、５Ｇネットワークにおけるネットワーク側装置又は将来の発展型地上波公共移動通信ネットワーク（Ｐｕｂｌｉｃ  Ｌａｎｄ  Ｍｏｂｉｌｅ  Ｎｅｔｗｏｒｋ、ＰＬＭＮ）におけるネットワーク装置等であってもよい。
【００２０】
該通信システム１００は更にネットワーク装置１１０のカバレッジ範囲内に位置する少なくとも１つの端末装置１２０を備える。ここで使用される「端末装置」は、有線回線を介して接続され、例えば、公衆交換電話網（Ｐｕｂｌｉｃ  Ｓｗｉｔｃｈｅｄ  Ｔｅｌｅｐｈｏｎｅ  Ｎｅｔｗｏｒｋｓ、ＰＳＴＮ）、デジタル加入者線（Ｄｉｇｉｔａｌ  Ｓｕｂｓｃｒｉｂｅｒ  Ｌｉｎｅ、ＤＳＬ）、デジタルケーブル、直接ケーブル接続、及び／又は他のデータ接続／ネットワークを介して接続された装置、及び／又は無線インタフェース、例えば、セルラーネットワーク、無線ローカルエリアネットワーク（Ｗｉｒｅｌｅｓｓ  Ｌｏｃａｌ  Ａｒｅａ  Ｎｅｔｗｏｒｋ、ＷＬＡＮ）、ＤＶＢ−Ｈネットワーク等のデジタルテレビネットワーク、衛星ネットワーク、ＡＭ−ＦＭ放送送信機を介して接続された装置、及び／又は他の端末装置の、通信信号を送受信するように設定される装置、及び／又はモノのインターネット（Ｉｎｔｅｒｎｅｔ  ｏｆ  Ｔｈｉｎｇｓ、ＩｏＴ）装置を含むが、それらには限らない。無線インタフェースを介して通信するように設定される端末装置は「無線通信端末装置」、「無線端末装置」又は「モバイル端末装置」と称されてもよい。モバイル端末装置の例は衛星又はセルラー方式の電話、セルラー無線電話とデータ処理、ファックス、及びデータ通信能力を組み合わせることのできる個人通信システム（Ｐｅｒｓｏｎａｌ  Ｃｏｍｍｕｎｉｃａｔｉｏｎｓ  Ｓｙｓｔｅｍ、ＰＣＳ）端末装置、無線電話、ポケットベル、インターネット／イントラネットアクセス、Ｗｅｂブラウザ、メモ帳、カレンダー及び／又は全地球測位システム（Ｇｌｏｂａｌ  Ｐｏｓｉｔｉｏｎｉｎｇ  Ｓｙｓｔｅｍ、ＧＰＳ）受信機を備えることのできるＰＤＡ、及び通常のラップトップタイプ及び／又はパームトップタイプの受信機、又は無線電話送受信機を備える他の電子装置を含むが、それらには限らない。端末装置とはアクセス端末装置、ユーザ装置（Ｕｓｅｒ  Ｅｑｕｉｐｍｅｎｔ、ＵＥ）、加入者ユニット、加入者局、移動局、トラバーサー、遠隔局、遠隔端末装置、モバイルデバイス、ユーザ端末装置、端末装置、無線通信装置、ユーザエージェント、又はユーザデバイスを指してもよい。アクセス端末装置はセルラー方式の電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を備えるハンドヘルド装置、計算装置又は無線モデムに接続される他の処理装置、車載装置、ウェアラブル装置、５Ｇネットワークにおける端末装置又は将来進化するＰＬＭＮにおける端末装置等であってもよい。
【００２１】
選択肢として、端末装置１２０同士はデバイスツーデバイス（Ｄｅｖｉｃｅ  ｔｏ  Ｄｅｖｉｃｅ、Ｄ２Ｄ）通信を行うことが可能である。
【００２２】
選択肢として、５Ｇシステム又は５Ｇネットワークは新無線（Ｎｅｗ  Ｒａｄｉｏ、ＮＲ）システム又はＮＲネットワークとも呼ばれてもよい。
【００２３】
図１は１つのネットワーク装置及び２つの端末装置を例示する。選択肢として、該通信システム１００は複数のネットワーク装置を備えてもよく、各ネットワーク装置のカバレッジ範囲内に他の数の端末装置を備えてもよく、本願の実施例ではそれを限定しない。
【００２４】
選択肢として、該通信システム１００はネットワークコントローラ、モビリティ管理エンティティ等の他のネットワークエンティティを更に備えてもよく、本願の実施例ではそれを限定しない。
【００２５】
理解されるように、本願の実施例では、ネットワーク／システムにおける通信機能を有する装置は通信装置と呼ばれてもよい。図１に示される通信システム１００を例として、通信装置は通信機能を有するネットワーク装置１１０及び端末装置１２０を含んでもよい。ネットワーク装置１１０及び端末装置１２０は上記具体的な装置であってもよいため、ここでは重複説明を省略する。通信装置は通信システム１００における他の装置、例えば、ネットワークコントローラ、モビリティ管理エンティティ等の他のネットワークエンティティを更に含んでもよく、本願の実施例ではこれを限定しない。
【００２６】
理解されるように、本明細書では、用語「システム」及び「ネットワーク」は本明細書において常に交換して使用されている。本明細書では、用語「及び／又は」は単に関連対象の関連付け関係を説明するものであり、３種の関係が存在することを示す。例えば、Ａ及び／又はＢは、Ａのみが存在すること、ＡとＢが同時に存在すること、及びＢのみが存在することの３つの場合を示す。また、本明細書では、記号「／」は一般的に前後の関連対象が「又は」の関係であることを示す。
【００２７】
本願の実施例の技術的解決手段を理解しやすくするために、以下、本願の実施例の関連技術を説明する。
【００２８】
ＮＲのＰＤＣＣＨ制御リソースセット（ＰＤＣＣＨ  ＣＯＲＥＳＥＴ）について、ＮＲ  ＵＥはＰＤＣＣＨ  ｓｅａｒｃｈ  ｓｐａｃｅにおいてＰＤＣＣＨを監視するが、ＰＤＣＣＨ  ＣＯＲＥＳＥＴはＰＤＣＣＨ  ｓｅａｒｃｈ  ｓｐａｃｅが位置する時間周波数リソース位置を提供する。以下はＰＤＣＣＨ  ＣＯＲＥＳＥＴの構成情報である。
【００２９】
2021533604.tif 000003
−ＤＭＲＳスクランブリングシーケンスの初期値
上位層シグナリングｐｄｃｃｈ−ＤＭＲＳ−ＳｃｒａｍｂｌｉｎｇＩＤにより提供される。
−周波数領域でのプリコーディング粒度
上位層パラメータｐｒｅｃｏｄｅｒＧｒａｎｕｌａｒｉｔｙにより提供される。
−占有される時間領域シンボル
−周波数領域のＰＲＢ数
−ＣＣＥ−ｔｏ−ＲＥＧ  ｍａｐｐｉｎｇパラメータ
−ａｎ  ａｎｔｅｎｎａ  ｐｏｒｔ  ｑｕａｓｉ  ｃｏ−ｌｏｃａｔｉｏｎ情報、ｆｒｏｍ  ａ  ｓｅｔ  ｏｆ  ａｎｔｅｎｎａ  ｐｏｒｔ  ｑｕａｓｉ  ｃｏ−ｌｏｃａｔｉｏｎｓ。
−ａ  ｔｒａｎｓｍｉｓｓｉｏｎ  ｃｏｎｆｉｇｕｒａｔｉｏｎ  ｉｎｄｉｃａｔｉｏｎ  （ＴＣＩ）  ｆｉｅｌｄ  ｆｏｒ  ＤＣＩ  ｆｏｒｍａｔ  １＿１が出現するか否かを指示する情報
【００３０】
図２は本願の実施例に係る伝送リソースの決定方法の模式的なフローチャート１である。図２に示すように、前記伝送リソースの決定方法は以下のステップ２０１を含む。
【００３１】
ステップ２０１では、端末装置は第１制御リソースセットの帯域幅又は第１指示信号の帯域幅に基づいて、ダウンリンク信号に対応する第１受信帯域幅を決定し、前記第１制御リソースセットはダウンリンク制御チャネルを伝送することに用いられ、前記第１指示信号は前記端末装置がダウンリンク制御チャネル監視時刻にダウンリンク制御チャネル監視を行うか否かを決定することに用いられる。
【００３２】
本願の実施例では、前記端末装置は携帯電話、タブレットＰＣ、車載端末装置等のネットワーク装置と通信できる任意の装置であってもよい。
【００３３】
本願の実施例では、サーチ空間の記述はＰＤＣＣＨ  ｓｅａｒｃｈ  ｓｐａｃｅとしてもよく、ＰＤＣＣＨ  ｓｅａｒｃｈ  ｓｐａｃｅの記述はサーチ空間として理解されてもよい。
【００３４】
本願の実施例では、第１制御リソースセットの記述はＰＤＣＣＨ  ＣＯＲＥＳＥＴとしてもよく、ＰＤＣＣＨ  ＣＯＲＥＳＥＴの記述は第１制御リソースセットとして理解されてもよい。前記第１制御リソースセットはダウンリンク制御チャネルを伝送することに用いられる。
【００３５】
本願の実施例では、前記第１指示信号は、前記端末装置がダウンリンク制御チャネル監視時刻にダウンリンク制御チャネル監視を行うか否かを決定することに用いられる。前記第１指示信号は少なくとも１つのダウンリンク制御チャネル監視時刻と関連付け関係を有し、前記第１指示信号と前記少なくとも１つのダウンリンク制御チャネル監視時刻との間の関連付け関係は時間において周期的に出現する。
【００３６】
本願の実施例では、端末装置は第１制御リソースセットの帯域幅又は第１指示信号の帯域幅に基づいて、ダウンリンク信号に対応する第１受信帯域幅を決定する。ここで、第１制御リソースセットの帯域幅はＣＯＲＥＳＥＴ  ＢＷＰとも呼ばれてもよく、第１指示信号の帯域幅は省電力信号ＢＷＰとも呼ばれてもよい。端末装置に対して構成されたＢＷＰに比べて、ＣＯＲＥＳＥＴ  ＢＷＰ又はＣＯＲＥＳＥＴ  ＢＷＰは端末装置に対して構成されたＢＷＰよりも小さく、それにより端末装置は第１受信帯域幅においてダウンリンク信号を受信し、端末装置の省電力が可能になる。
【００３７】
本願の実施例では、端末装置は第１制御リソースセットの帯域幅に基づいてダウンリンク信号に対応する第１受信帯域幅を決定してもよく、第１指示信号の帯域幅に基づいてダウンリンク信号に対応する第１受信帯域幅を決定してもよい。以下、それぞれ説明する。
【００３８】
１）前記端末装置は第１制御リソースセットの帯域幅に基づいて、ダウンリンク信号に対応する第１受信帯域幅を決定する。
前記端末装置は前記端末装置に対する第１ダウンリンク制御チャネルを検出する前に、前記端末装置は第１制御リソースセットの帯域幅に基づいて、ダウンリンク信号に対応する第１受信帯域幅を決定する。
【００３９】
ここで、第１受信帯域幅は第１制御リソースセットの帯域幅をカバーする必要があり、即ち、第１受信帯域幅は第１制御リソースセットの帯域幅以上である。例えば、第１制御リソースセットの帯域幅をＢ１、第１受信帯域幅をＢ２とすると、Ｂ２≧Ｂ１である。
【００４０】
前記端末装置は前記端末装置に対する第１ダウンリンク制御チャネルを検出した後、前記端末装置は現在アクティブ状態にある帯域幅部分（ＢＷＰ）の帯域幅に基づいて、ダウンリンク信号に対応する第２受信帯域幅を決定する。
【００４１】
ここで、前記端末装置は前記端末装置に対する第１ダウンリンク制御チャネルを検出した後、ダウンリンク信号に対応する受信帯域幅を前記第１受信帯域幅から前記第２受信帯域幅に切り替える。前記端末装置が前記第１受信帯域幅から前記第２受信帯域幅に切り替えることは第１切り替え時間長に対応し、前記端末装置が前記第１受信帯域幅に基づいて検出した前記第１ダウンリンク制御チャネルと前記第１ダウンリンク制御チャネルによりスケジューリングされる第１ダウンリンクデータチャネルとの間の時間間隔は前記第１切り替え時間長以上である。
【００４２】
２）前記端末装置は第１指示信号の帯域幅に基づいて、ダウンリンク信号に対応する第１受信帯域幅を決定する。
前記端末装置はダウンリンク制御チャネル監視時刻にダウンリンク制御チャネル監視を行うことを指示するための第１指示信号を検出する前に、前記端末装置は第１指示信号の帯域幅に基づいて、ダウンリンク信号に対応する第１受信帯域幅を決定する。
【００４３】
ここで、第１受信帯域幅は第１指示信号の帯域幅をカバーする必要があり、即ち、第１受信帯域幅は第１指示信号の帯域幅以上である。例えば、第１指示信号の帯域幅をＢ３、第１受信帯域幅をＢ２とすると、Ｂ２≧Ｂ３である。
【００４４】
前記端末装置はダウンリンク制御チャネル監視時刻にダウンリンク制御チャネル監視を行うことを指示するための第１指示信号を検出した後、前記端末装置は現在アクティブ状態にあるＢＷＰの帯域幅に基づいて、ダウンリンク信号に対応する第２受信帯域幅を決定する。
【００４５】
ここで、１）前記端末装置はダウンリンク制御チャネル監視時刻にダウンリンク制御チャネル監視を行うことを指示するための第１指示信号を検出した後、ダウンリンク信号に対応する受信帯域幅を前記第１受信帯域幅から前記第２受信帯域幅に切り替え、前記端末装置が前記第１受信帯域幅から前記第２受信帯域幅に切り替えることは第２切り替え時間長に対応し、前記端末装置が前記第１受信帯域幅に基づいて検出した前記第１指示信号と前記第１指示信号に関連付けられるダウンリンク制御チャネル監視時刻との間の時間間隔は前記第２切り替え時間長以上である。又は、２）前記端末装置はダウンリンク制御チャネル監視時刻にダウンリンク制御チャネル監視を行うことを指示するための第１指示信号を検出した後、前記端末装置は第１制御リソースセットの帯域幅に基づいて、ダウンリンク信号に対応する第３受信帯域幅を決定し、前記端末装置は前記第３帯域幅において前記端末装置に対する第１ダウンリンク制御チャネルを検出した後、前記端末装置は現在アクティブ状態にあるＢＷＰの帯域幅に基づいて、ダウンリンク信号に対応する第２受信帯域幅を決定する。前記端末装置はダウンリンク制御チャネル監視時刻にダウンリンク制御チャネル監視を行うことを指示するための第１指示信号を検出した後、ダウンリンク信号に対応する受信帯域幅を前記第１受信帯域幅から前記第３受信帯域幅に切り替え、前記端末装置は前記第３帯域幅において前記端末装置に対する第１ダウンリンク制御チャネルを検出した後、ダウンリンク信号に対応する受信帯域幅を前記第３受信帯域幅から前記第２受信帯域幅に切り替え、前記端末装置が前記第１受信帯域幅から前記第３受信帯域幅に切り替えることは第３切り替え時間長に対応し、前記端末装置が前記第３受信帯域幅から前記第２受信帯域幅に切り替えることは第４切り替え時間長に対応し、前記端末装置が前記第１受信帯域幅に基づいて検出した前記第１指示信号と前記第１指示信号に関連付けられるダウンリンク制御チャネル監視時刻との間の時間間隔は前記第３切り替え時間長以上であり、前記端末装置が前記第３受信帯域幅に基づいて検出した前記第１ダウンリンク制御チャネルと前記第１ダウンリンク制御チャネルによりスケジューリングされる第１ダウンリンクデータチャネルとの間の時間間隔は前記第４切り替え時間長以上である。
【００４６】
一実施形態では、前記第１指示信号は少なくとも１つのダウンリンク制御チャネル監視時刻と関連付け関係を有し、前記第１指示信号と前記少なくとも１つのダウンリンク制御チャネル監視時刻との間の関連付け関係は時間において周期的に出現する。
【００４７】
一実施形態では、前記端末装置に対して構成された複数のサーチ空間が時間的に重なる部分を有し、又は時間上の時間間隔が第１閾値以下である場合、前記端末装置は前記複数のサーチ空間のそれぞれに対応する第１制御リソースセットの第１帯域幅に基づいて、ダウンリンク信号の第１受信帯域幅を決定する。
【００４８】
ここで、前記端末装置は、前記ダウンリンク信号の第１受信帯域幅がすべての前記複数のサーチ空間のそれぞれに対応する第１制御リソースセットの第１帯域幅をカバーすることを決定する。更に、前記複数のサーチ空間が時間的に重なる時間範囲内に、前記ダウンリンク信号の第１受信帯域幅はすべての前記複数のサーチ空間のそれぞれに対応する第１制御リソースセットの第１帯域幅をカバーし、又は、前記複数のサーチ空間の時間上の時間間隔が第１閾値以下である時間範囲内に、前記ダウンリンク信号の第１受信帯域幅はすべての前記複数のサーチ空間のそれぞれに対応する第１制御リソースセットの第１帯域幅をカバーする。
【００４９】
例えば、ＳＳ１とＳＳ２は時間的に重なる領域を有し（完全に重なってもよく、部分的に重なってもよい）、ＳＳ１とＳＳ２が時間的に重なる時間範囲を［ｔ１，ｔ２］とする場合、ｔ１〜ｔ２の時間領域範囲内に、前記ダウンリンク信号の第１受信帯域幅はＳＳ１に対応する第１制御リソースセットの第１帯域幅及びＳＳ２に対応する第１制御リソースセットの第１帯域幅をカバーする。
【００５０】
例えば、ＳＳ１とＳＳ２の時間上の時間間隔がｔであり、ｔが第１閾値未満である場合、ＳＳ１〜ＳＳ２の時間領域範囲内に、前記ダウンリンク信号の第１受信帯域幅はＳＳ１に対応する第１制御リソースセットの第１帯域幅及びＳＳ２に対応する第１制御リソースセットの第１帯域幅をカバーする。それにより、帯域幅切り替え遅延によるデータの正常受信不能を回避する。
【００５１】
本願の実施例の技術的解決手段では、端末装置は物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）によるスケジューリングを受信していないＰＤＣＣＨ監視時刻に、又はデータスケジューリングがあることをＵＥに指示する省電力信号を受信していない時間に、狭い受信帯域幅（ＰＤＣＣＨ  ＣＯＲＥＳＥＴ帯域幅又は省電力信号の受信帯域幅）でダウンリンク信号を受信することができ、それにより省電力を実現する。
【００５２】
また、本願の実施例の技術的解決手段は、第１タイマーに基づいてダウンリンク信号に対応する受信帯域幅が前記第１受信帯域幅又は前記第２受信帯域幅であることを決定し、前記第２受信帯域幅は現在アクティブ状態にあるＢＷＰの帯域幅に基づいて決定されることを更に含む。具体的に、上記第１制御リソースセットの帯域幅に基づいてダウンリンク信号に対応する第１受信帯域幅を決定する場合に対応して、前記端末装置は前記第１タイマーを起動し、前記端末装置は任意のダウンリンク制御チャネル監視時刻にダウンリンク制御チャネルを監視した場合、前記第１タイマーを再起動し、前記端末装置がダウンリンク制御チャネルを監視していない場合、前記第１タイマーが計時を継続し、前記第１タイマーがタイムアウトになる場合、前記端末装置はダウンリンク信号に対応する受信帯域幅を前記第２受信帯域幅から前記第１受信帯域幅に切り替える。第１タイマーの計時がダウンリンク制御チャネル監視周期であることを例として、前記端末装置が１つのダウンリンク制御チャネル監視時刻にダウンリンク制御チャネルを監視していない場合、前記第１タイマーの計数値が増加する。上記第１指示信号の帯域幅に基づいてダウンリンク信号に対応する第１受信帯域幅を決定する場合に対応して、前記端末装置は前記第１タイマーを起動し、前記端末装置は任意の第１指示信号監視時刻に、ダウンリンク制御チャネル監視時刻にダウンリンク制御チャネル監視を行うことを指示するための第１指示信号を監視した場合、前記第１タイマーを再起動し、前記端末装置はダウンリンク制御チャネル監視時刻にダウンリンク制御チャネル監視を行うことを指示するための第１指示信号を監視していない場合、前記第１タイマーが計時を継続し、前記第１タイマーがタイムアウトになる場合、前記端末装置はダウンリンク信号に対応する受信帯域幅をから前記第１受信帯域幅に切り替える。第１タイマーの計時が第１指示信号監視周期であることを例として、前記端末装置は１つの第１指示信号監視時刻に、ダウンリンク制御チャネル監視時刻にダウンリンク制御チャネル監視を行うことを指示するための第１指示信号を監視していない場合、前記第１タイマーの計数値が増加する。
【００５３】
上記解決手段では、前記第１タイマーの第１時間長情報はネットワーク装置により構成され、又は、前記第１タイマーの第１時間長情報は予め構成される。ここで、第１時間長情報の値は時間長であってもよく、サブフレーム、又はタイムスロット、又はＰＤＣＣＨ  ｓｅａｒｃｈ  ｓｐａｃｅ周期の数であってもよい。それに対応して、第１タイマーの計時は時間の計数値であってもよく、サブフレーム、又はタイムスロット、又はＰＤＣＣＨ  ｓｅａｒｃｈ  ｓｐａｃｅ周期の計数値であってもよい。
【００５４】
一実施形態では、前記端末装置はダウンリンク信号に対応する受信帯域幅を前記第１受信帯域幅から第２受信帯域幅に切り替えた後、第１タイマーに基づいて、ダウンリンク信号に対応する受信帯域幅が前記第１受信帯域幅又は前記第２受信帯域幅であることを決定する。
【００５５】
本願の実施例の技術的解決手段によれば、タイマーに基づく制御方式と組み合わせて、端末装置はデータスケジューリングがある時間に、大きな受信帯域幅に基づいてダウンリンク信号を受信し、データスケジューリングがない時間に、上記狭い受信帯域幅にフォールバックしてダウンリンク信号を受信することを確保する。
【００５６】
以下、具体的な応用例を参照しながら本願の実施例の技術的解決手段を例示的に説明する。
【００５７】
応用例１
端末装置が大きな帯域幅のＢＷＰで動作する場合、端末装置に対してネットワークにより構成された監視する必要があるＰＤＣＣＨ  ＣＯＲＥＳＥＴの帯域幅は、ＢＷＰの帯域幅よりも小さい又は遥かに小さい可能性があるが、従来の標準では端末装置がＢＷＰの帯域幅全体を受信することが求められ、そうでないと、ＵＥがＢＷＰよりも小さい受信帯域幅で信号を受信すれば、基地局によりスケジューリングされるＰＤＳＣＨデータの漏れを招く恐れがある。しかし、実質的に、端末装置が常に該ＢＷＰにおいてスケジューリングされるわけではなく、多くの時間では端末装置がスケジューリングされていない。この場合、端末装置はスケジューリングされるデータがない時刻に小さな帯域幅を受信できれば、この小さな帯域幅はＰＤＣＣＨ  ＣＯＲＳＥＴの帯域幅以上である必要があり、スケジューリングされるデータがある時刻でなければ、端末装置は本格的にＢＷＰの帯域幅全体でデータ受信を行わなく、端末装置の省電力に有利である。この考えに基づいて、１つのＰＤＣＣＨ  ＣＯＲＥＳＥＴ  ＢＷＰを定義し、該ＢＷＰのサイズはＰＤＣＣＨ  ＣＯＲＥＳＥＴの帯域幅に等しく、周波数位置もＰＤＣＣＨ  ＣＯＲＥＳＥＴと同じであり、図３に示される。端末装置は一般的にＰＤＣＣＨ  ＣＯＲＥＳＥＴ  ＢＷＰのみを受信し、ＰＤＣＣＨ  ＣＯＲＥＳＥＴが端末装置に対してＰＤＣＣＨをスケジューリングしたことが監視された場合、ＢＷＰの帯域幅全体を受信する。しかしながら、このような操作は基地局のスケジューリング挙動に対して一定の制限があり、即ち、端末装置がＰＤＣＣＨ  ＣＯＲＥＳＥＴ  ＢＷＰにおいてはじめてＰＤＣＣＨスケジューリングを受信する時、該ＰＤＣＣＨによりスケジューリングされるＰＤＳＣＨとＰＤＣＣＨとの間のｔｉｍｉｎｇは一定の時間閾値よりも大きいべきであり、それにより端末装置は該時間閾値内に正常なＢＷＰ帯域幅に切り替えることができる。従来のプロトコルでは、ｎ番目のｓｌｏｔにＰＤＣＣＨ  ＤＣＩが検出される場合、ＰＤＳＣＨのｓｌｏｔは、
2021533604.tif 000004
であり、
式中、Ｋ０は上位層シグナリングにより構成されたＰＤＣＣＨとＰＤＳＣＨとの間のｓｌｏｔ  ｏｆｆｓｅｔであり、その値が０、１、２、３であってもよく、上記式から分かるように、プロトコルは大きなｔｉｍｅｏｆｆｓｅｔをサポートできるため、プロトコルは上記操作をサポートする基盤を具備する。
【００５８】
同様に、省電力信号ウェイクアップメカニズムのＰＤＣＣＨ監視を採用する場合、省電力信号の帯域幅に基づいて端末装置のダウンリンク受信帯域幅を決定でき、決定したダウンリンク受信帯域幅は省電力信号の帯域幅以上である。そのため、省電力信号の帯域幅及び周波数位置を組み合わせて省電力信号ＢＷＰを定義できる。図４に示すように、省電力信号ＢＷＰのサイズは省電力信号の帯域幅以上であり、該ＢＷＰの周波数位置は省電力信号と同じである。端末装置は一般的に省電力信号ＢＷＰ内のみにおいて省電力信号を監視する。ネットワークはスケジューリングされるデータがある場合、ネットワークは端末装置に省電力信号を送信し、端末装置は省電力信号を受信した後、受信帯域幅を正常なＢＷＰ帯域幅全体に拡張する。図４を参照して、端末装置は省電力信号ＢＷＰ（省電力信号ＢＷＰは正常のＢＷＰ未満であって省電力信号の帯域幅以上である）内において省電力信号を監視する。ここで、端末装置は各省電力信号の監視時刻に省電力信号を監視し、監視した省電力信号はＵＥがスケジューリングされるか否かを指示でき、即ち、監視した省電力信号は該省電力信号に関連付けられる少なくとも１つのＰＤＣＣＨ（図４は１つの省電力信号に１つのＰＤＣＣＨが関連付けられていることを示す）がスケジューリングされるか否かを指示できる。端末装置はＵＥがスケジューリングされることを指示するための省電力信号を受信した場合、受信帯域幅を正常なＢＷＰ帯域幅全体に拡張し、その後、端末装置はこの正常なＢＷＰ帯域幅内にＰＤＣＣＨスケジューリングを監視した。
【００５９】
なお、端末装置がスケジューリングされていない場合、端末装置はＰＤＣＣＨ  ＣＯＲＳＥＴの帯域幅又は省電力信号の帯域幅に基づいて、ダウンリンク受信帯域幅が上記ＰＤＣＣＨ  ＣＯＲＳＥＴの帯域幅又は省電力信号の帯域幅以上であることを決定できる。しかしながら、端末装置は他の信号の受信ニーズ、例えば、チャネル状態情報（ＣＳＩ）測定、無線リソース測定（ＲＲＭ）測定、無線リンク監視（ＲＬＭ）測定に基づく構成又は同期ニーズを有する場合、端末装置は上記操作を実行する時、端末装置は上記操作ニーズを満たす帯域幅に基づいて、ダウンリンク受信帯域幅（ダウンリンク受信帯域幅は上記操作ニーズを満たす帯域幅以上である必要がある）を決定できる。例えば、ＣＳＩ測定が構成されている場合、ＣＳＩ測定を実行する必要があると、ＣＳＩ測定の帯域幅に基づいてダウンリンク受信帯域幅を決定する。上記操作が終了した後、端末装置が依然としてスケジューリングされていない場合、端末装置は再びＰＤＣＣＨ  ＣＯＲＳＥＴの帯域幅又は省電力信号の帯域幅に基づいて、ダウンリンク受信帯域幅が上記ＰＤＣＣＨ  ＣＯＲＳＥＴの帯域幅又は省電力信号の帯域幅以上であることを決定できる。
【００６０】
応用例２
ダウンリンク受信帯域幅は常に複数のＰＤＣＣＨ  ｓｅａｒｃｈ  ｓｐａｃｅに対応するＰＤＣＣＨ  ＣＯＲＥＳＥＴの帯域幅を含み、該ダウンリンク受信帯域幅はＰＤＣＣＨ  ＣＯＲＥＳＥＴ  ＢＷＰと呼ばれてもよい。図５に示すように、ＰＤＣＣＨ  ＣＯＲＥＳＥＴ  ＢＷＰ（即ち、ダウンリンク信号受信帯域幅）はＰＤＣＣＨ  ｓｅａｒｃｈ  ｓｐａｃｅ１に対応するＰＤＣＣＨ  ＣＯＲＥＳＥＴの帯域幅及びＰＤＣＣＨ  ｓｅａｒｃｈ  ｓｐａｃｅ２に対応するＰＤＣＣＨ  ＣＯＲＥＳＥＴの帯域幅をカバーする。
【００６１】
更に、複数のＰＤＣＣＨ  ｓｅａｒｃｈ  ｓｐａｃｅに対応する複数のＰＤＣＣＨ  ＣＯＲＥＳＥＴが時間的に重なり又は部分的に重なり又は時間間隔が第１閾値Ｔ以下である場合、ダウンリンク受信帯域幅は上記重なる時間又は近い時間を有するＰＤＣＣＨ  ＣＯＲＥＳＥＴの受信時刻に、前記すべての重なる時間又は近い時間を有するＰＤＣＣＨ  ＣＯＲＥＳＥＴの帯域幅を含む。図６を参照して、ＰＤＣＣＨ  ｓｅａｒｃｈ  ｓｐａｃｅ１及びＰＤＣＣＨ  ｓｅａｒｃｈ  ｓｐａｃｅ２は時間的に重なる部分を有し（図６は部分的に重なることを示すが、これに限定されず、完全に重なってもよい）、この部分のＰＤＣＣＨ  ｓｅａｒｃｈ  ｓｐａｃｅ１及びＰＤＣＣＨ  ｓｅａｒｃｈ  ｓｐａｃｅ２に対して、ＰＤＣＣＨ  ＣＯＲＥＳＥＴ  ＢＷＰ（即ち、ダウンリンク信号受信帯域幅）は、ＰＤＣＣＨ  ｓｅａｒｃｈ  ｓｐａｃｅ１に対応するＰＤＣＣＨ  ＣＯＲＥＳＥＴの帯域幅及びＰＤＣＣＨ  ｓｅａｒｃｈ  ｓｐａｃｅ２に対応するＰＤＣＣＨ  ＣＯＲＥＳＥＴの帯域幅をカバーする。時間的にＰＤＣＣＨ  ｓｅａｒｃｈ  ｓｐａｃｅ１のみが出現する時間領域範囲について、ＰＤＣＣＨ  ＣＯＲＥＳＥＴ  ＢＷＰ（即ち、ダウンリンク信号受信帯域幅）はＰＤＣＣＨ  ｓｅａｒｃｈ  ｓｐａｃｅ１に対応するＰＤＣＣＨ  ＣＯＲＥＳＥＴの帯域幅のみをカバーすればよい。同様に、時間的にＰＤＣＣＨ  ｓｅａｒｃｈ  ｓｐａｃｅ２のみが出現する時間領域範囲について、ＰＤＣＣＨ  ＣＯＲＥＳＥＴ  ＢＷＰ（即ち、ダウンリンク信号受信帯域幅）はＰＤＣＣＨ  ｓｅａｒｃｈ  ｓｐａｃｅ２に対応するＰＤＣＣＨ  ＣＯＲＥＳＥＴの帯域幅をカバーすればよい。
【００６２】
なお、ネットワーク装置が端末に複数のＰＤＣＣＨ  ｓｅａｒｃｈ  ｓｐａｃｅを構成し、各々のｓｅａｒｃｈ  ｓｐａｃｅが１つのＰＤＣＣＨ  ＣＯＲＥＳＥＴに対応する場合、端末は上記方式を採用してこれらのＰＤＣＣＨ  ＣＯＲＥＳＥＴの帯域幅に基づいてダウンリンク受信帯域幅を決定できるが、ネットワークのいくつかのニーズに応じて、すべてのＰＤＣＣＨ  ｓｅａｒｃｈ  ｓｐａｃｅに対応するＰＤＣＣＨ  ＣＯＲＥＳＥＴが上記ダウンリンク受信帯域幅の決定に関与するわけではない。例えば、そのうちの１つのＰＤＣＣＨ  ＣＯＲＥＳＥＴについて、端末は該ＰＤＣＣＨ  ＣＯＲＥＳＥＴを受信するときに、該ＰＤＣＣＨ  ＣＯＲＥＳＥＴの帯域幅でダウンリンク受信帯域幅を決定するのではなく、現在アクティブ化されているＢＷＰの帯域幅でダウンリンク受信帯域幅を決定する。
【００６３】
図６は複数のＰＤＣＣＨ  ｓｅａｒｃｈ  ｓｐａｃｅが時間的に重なり又は部分的に重なる場合を示す。複数のＰＤＣＣＨ  ｓｅａｒｃｈ  ｓｐａｃｅの時間間隔が第１閾値Ｔ以下である場合、同様に、例えば、ＰＤＣＣＨ  ｓｅａｒｃｈ  ｓｐａｃｅ１とＰＤＣＣＨ  ｓｅａｒｃｈ  ｓｐａｃｅ２との間の時間間隔がＴ以下であり、この部分のＰＤＣＣＨ  ｓｅａｒｃｈ  ｓｐａｃｅ１とＰＤＣＣＨ  ｓｅａｒｃｈ  ｓｐａｃｅ２に対して、ＰＤＣＣＨ  ＣＯＲＥＳＥＴ  ＢＷＰ（即ち、ダウンリンク信号受信帯域幅）はＰＤＣＣＨ  ｓｅａｒｃｈ  ｓｐａｃｅ１に対応するＰＤＣＣＨ  ＣＯＲＥＳＥＴの帯域幅及びＰＤＣＣＨ  ｓｅａｒｃｈ  ｓｐａｃｅ２に対応するＰＤＣＣＨ  ＣＯＲＥＳＥＴの帯域幅をカバーする必要がある。
【００６４】
応用例３
第１指示信号に基づいてダウンリンク受信帯域幅を決定する場合について、以下の２種の方式によって帯域幅の切り替えを行うことができる。
【００６５】
方式１では、ＵＥが省電力信号ＢＷＰ内においてダウンリンク信号を受信する場合、ＵＥはＵＥをスケジューリングする省電力信号を検出したとき、ＵＥは帯域幅をＰＤＣＣＨ  ＣＯＲＥＳＥＴ  ＢＷＰに切り替え、ＵＥはＰＤＣＣＨ  ＣＯＲＥＳＥＴ  ＢＷＰ内においてダウンリンク信号を受信し、ＵＥはＰＤＣＣＨスケジューリングを更に検出したとき、ＵＥは再び帯域幅を正常なＢＷＰに切り替える。
【００６６】
方式２では、ＵＥが省電力信号ＢＷＰ内においてダウンリンク信号を受信する場合、ＵＥはＵＥをスケジューリングする省電力信号を検出したとき、ＵＥは帯域幅を直接に正常なＢＷＰに切り替える。
【００６７】
応用例４
端末装置がサイズの異なる受信帯域幅において頻繁に切り替えることを回避するために、端末装置はスケジューリングを受信し又は省電力信号指示を受信した後、現在アクティブ化されているＢＷＰの受信帯域幅に切り替え、端末装置は一定の時間内に前記ＢＷＰの受信帯域幅を維持する必要がある。上記ＰＤＣＣＨ  ＣＯＲＥＳＥＴ  ＢＷＰメカニズム又は省電力信号ＢＷＰメカニズムに基づくフォールバックメカニズムとして、端末装置はスケジューリングを受信すると正常なＢＷＰに拡張し、ＰＤＳＣＨスケジューリングの受信終了から一定の時間内にスケジューリングを受信していないと、端末装置は上記ＰＤＣＣＨ  ＣＯＲＥＳＥＴの受信帯域幅又は省電力信号の受信帯域幅にフォールバックして、省電力を図る。
【００６８】
上記ニーズは第１タイマー（以下、第１ｔｉｍｅｒと略称される）制御の方式に基づいて実現されてもよい。例えば、ＰＤＣＣＨを受信した後にタイマーを起動し、一定の時間内に新たなＰＤＣＣＨスケジューリングを受信しておらず且つタイマーがタイムアウトになる場合、端末装置は上記ＰＤＣＣＨ  ＣＯＲＥＳＥＴ  ＢＷＰにフォールバックする。又は、ネットワーク側のコマンド、例えば、ＰＤＣＣＨ  ｏｒｄｅｒに基づいて、端末装置はフォールバックしてもよい。具体的に、
端末装置は前記端末装置に対するＰＤＣＣＨを監視する度に、端末装置は前記第１ｔｉｍｅｒを再起動し、
端末装置は対応するＰＤＣＣＨ  ｓｅａｒｃｈ  ｓｐａｃｅにおいて前記端末装置に対するＰＤＣＣＨを検出していない場合、前記第１ｔｉｍｅｒの計数値が増加し、
前記第１ｔｉｍｅｒがタイムアウトになる場合、端末装置はＰＤＣＣＨ  ＣＯＲＥＳＥＴの帯域幅に基づいて決定されたダウンリンク受信帯域幅に切り替える。
【００６９】
更に例えば、省電力信号指示を受信した後にタイマーを起動し、一定の時間内に新たな省電力信号を受信しておらず且つタイマーがタイムアウトになる場合、端末装置は上記省電力信号ＢＷＰにフォールバックする。又は、ネットワーク側のコマンド、例えば、ＰＤＣＣＨ  ｏｒｄｅｒに基づいて、端末装置はフォールバックしてもよい。具体的に、
端末装置はＵＥをスケジューリングする省電力信号を監視する度に、端末装置は前記第１ｔｉｍｅｒを再起動し、
端末装置は対応する省電力信号の監視時刻にＵＥをスケジューリングする省電力信号を検出していない場合、前記第１ｔｉｍｅｒの計数値が増加し、
前記第１ｔｉｍｅｒがタイムアウトになる場合、端末装置は省電力信号の帯域幅に基づいて決定されたダウンリンク受信帯域幅に切り替える。
【００７０】
図７は本願の実施例に係る伝送リソースの決定装置の構造模式図１であり、図７に示すように、前記装置は第１決定ユニット７０１を備え、
前記第１決定ユニット７０１は、第１制御リソースセットの帯域幅又は第１指示信号の帯域幅に基づいて、ダウンリンク信号に対応する第１受信帯域幅を決定することに用いられ、前記第１制御リソースセットはダウンリンク制御チャネルを伝送することに用いられ、前記第１指示信号は前記端末装置がダウンリンク制御チャネル監視時刻にダウンリンク制御チャネル監視を行うか否かを決定することに用いられる。
【００７１】
一実施形態では、前記端末装置は前記端末装置に対する第１ダウンリンク制御チャネルを検出する前に、前記第１決定ユニット７０１は第１制御リソースセットの帯域幅に基づいて、ダウンリンク信号に対応する第１受信帯域幅を決定する。
【００７２】
一実施形態では、前記端末装置は前記端末装置に対する第１ダウンリンク制御チャネルを検出した後、前記第１決定ユニット７０１は現在アクティブ状態にある帯域幅部分（ＢＷＰ）の帯域幅に基づいて、ダウンリンク信号に対応する第２受信帯域幅を決定する。
【００７３】
一実施形態では、前記装置は切り替えユニット７０２を更に備え、
前記端末装置は前記端末装置に対する第１ダウンリンク制御チャネルを検出した後、前記切り替えユニットはダウンリンク信号に対応する受信帯域幅を前記第１受信帯域幅から前記第２受信帯域幅に切り替え、前記端末装置が前記第１受信帯域幅から前記第２受信帯域幅に切り替えることは第１切り替え時間長に対応し、前記端末装置が前記第１受信帯域幅に基づいて検出した前記第１ダウンリンク制御チャネルと前記第１ダウンリンク制御チャネルによりスケジューリングされる第１ダウンリンクデータチャネルとの間の時間間隔は前記第１切り替え時間長以上である。
【００７４】
一実施形態では、前記端末装置はダウンリンク制御チャネル監視時刻にダウンリンク制御チャネル監視を行うことを指示するための第１指示信号を検出する前に、前記第１決定ユニット７０１は第１指示信号の帯域幅に基づいて、ダウンリンク信号に対応する第１受信帯域幅を決定する。
【００７５】
一実施形態では、前記端末装置はダウンリンク制御チャネル監視時刻にダウンリンク制御チャネル監視を行うことを指示するための第１指示信号を検出した後、前記第１決定ユニット７０１は現在アクティブ状態にあるＢＷＰの帯域幅に基づいて、ダウンリンク信号に対応する第２受信帯域幅を決定し、又は、
前記端末装置はダウンリンク制御チャネル監視時刻にダウンリンク制御チャネル監視を行うことを指示するための第１指示信号を検出した後、前記第１決定ユニット７０１は第１制御リソースセットの帯域幅に基づいて、ダウンリンク信号に対応する第３受信帯域幅を決定し、前記端末装置は前記第３帯域幅において前記端末装置に対する第１ダウンリンク制御チャネルを検出した後、前記第１決定ユニット７０１は現在アクティブ状態にあるＢＷＰの帯域幅に基づいて、ダウンリンク信号に対応する第２受信帯域幅を決定する。
【００７６】
一実施形態では、前記装置は切り替えユニット７０２を更に備え、
前記端末装置はダウンリンク制御チャネル監視時刻にダウンリンク制御チャネル監視を行うことを指示するための第１指示信号を検出した後、前記切り替えユニットはダウンリンク信号に対応する受信帯域幅を前記第１受信帯域幅から前記第２受信帯域幅に切り替え、前記端末装置が前記第１受信帯域幅から前記第２受信帯域幅に切り替えることは第２切り替え時間長に対応し、前記端末装置が前記第１受信帯域幅に基づいて検出した前記第１指示信号と前記第１指示信号に関連付けられるダウンリンク制御チャネル監視時刻との間の時間間隔は前記第２切り替え時間長以上であり、又は、
前記端末装置はダウンリンク制御チャネル監視時刻にダウンリンク制御チャネル監視を行うことを指示するための第１指示信号を検出した後、前記切り替えユニット７０２はダウンリンク信号に対応する受信帯域幅を前記第１受信帯域幅から前記第３受信帯域幅に切り替え、前記端末装置は前記第３帯域幅において前記端末装置に対する第１ダウンリンク制御チャネルを検出した後、前記切り替えユニットはダウンリンク信号に対応する受信帯域幅を前記第３受信帯域幅から前記第２受信帯域幅に切り替え、前記端末装置が前記第１受信帯域幅から前記第３受信帯域幅に切り替えることは第３切り替え時間長に対応し、前記端末装置が前記第３受信帯域幅から前記第２受信帯域幅に切り替えることは第４切り替え時間長に対応し、前記端末装置が前記第１受信帯域幅に基づいて検出した前記第１指示信号と前記第１指示信号に関連付けられるダウンリンク制御チャネル監視時刻との間の時間間隔は前記第３切り替え時間長以上であり、前記端末装置が前記第３受信帯域幅に基づいて検出した前記第１ダウンリンク制御チャネルと前記第１ダウンリンク制御チャネルによりスケジューリングされる第１ダウンリンクデータチャネルとの間の時間間隔は前記第４切り替え時間長以上である。
【００７７】
一実施形態では、前記第１指示信号は少なくとも１つのダウンリンク制御チャネル監視時刻と関連付け関係を有し、前記第１指示信号と前記少なくとも１つのダウンリンク制御チャネル監視時刻との間の関連付け関係は時間において周期的に出現する。
【００７８】
一実施形態では、前記端末装置に対して構成された複数のサーチ空間が時間的に重なる部分を有し、又は時間上の時間間隔が第１閾値以下である場合、前記第１決定ユニット７０１は前記複数のサーチ空間のそれぞれに対応する第１制御リソースセットの第１帯域幅に基づいて、ダウンリンク信号の第１受信帯域幅を決定する。
【００７９】
一実施形態では、前記第１決定ユニット７０１は前記ダウンリンク信号の第１受信帯域幅がすべての前記複数のサーチ空間のそれぞれに対応する第１制御リソースセットの第１帯域幅をカバーすることを決定する。
【００８０】
一実施形態では、前記複数のサーチ空間が時間的に重なる時間範囲内に、前記ダウンリンク信号の第１受信帯域幅はすべての前記複数のサーチ空間のそれぞれに対応する第１制御リソースセットの第１帯域幅をカバーし、又は、
前記複数のサーチ空間の時間上の時間間隔が第１閾値以下である時間範囲内に、前記ダウンリンク信号の第１受信帯域幅はすべての前記複数のサーチ空間のそれぞれに対応する第１制御リソースセットの第１帯域幅をカバーする。
【００８１】
一実施形態では、前記装置は第２決定ユニット７０３を更に備え、
前記第２決定ユニット７０３は、第１タイマーに基づいて、ダウンリンク信号に対応する受信帯域幅が前記第１受信帯域幅又は前記第２受信帯域幅であることを決定することに用いられ、前記第２受信帯域幅は現在アクティブ状態にあるＢＷＰの帯域幅に基づいて決定される。
【００８２】
一実施形態では、前記第２決定ユニット７０３は、
前記第１タイマーを起動し、前記端末装置が任意のダウンリンク制御チャネル監視時刻にダウンリンク制御チャネルを監視した場合、前記第１タイマーを再起動することと、
前記端末装置がダウンリンク制御チャネルを監視していない場合、前記第１タイマーが計時を継続することと、
前記第１タイマーがタイムアウトになる場合、前記端末装置はダウンリンク信号に対応する受信帯域幅を前記第２受信帯域幅から前記第１受信帯域幅に切り替えることと、に用いられる。
【００８３】
一実施形態では、前記端末装置が１つのダウンリンク制御チャネル監視時刻にダウンリンク制御チャネルを監視していない場合、前記第１タイマーの計数値が増加する。
【００８４】
一実施形態では、前記第２決定ユニット７０３は、
前記第１タイマーを起動し、前記端末装置は任意の第１指示信号監視時刻に、ダウンリンク制御チャネル監視時刻にダウンリンク制御チャネル監視を行うことを指示するための第１指示信号を監視した場合、前記第１タイマーを再起動することと、
前記端末装置はダウンリンク制御チャネル監視時刻にダウンリンク制御チャネル監視を行うことを指示するための第１指示信号を監視していない場合、前記第１タイマーが計時を継続することと、
前記第１タイマーがタイムアウトになる場合、前記端末装置はダウンリンク信号に対応する受信帯域幅をから前記第１受信帯域幅に切り替えることと、に用いられる。
【００８５】
一実施形態では、前記第２決定ユニット７０３は、
前記端末装置は１つの第１指示信号監視時刻に、ダウンリンク制御チャネル監視時刻にダウンリンク制御チャネル監視を行うことを指示するための第１指示信号を監視していない場合、前記第１タイマーの計数値が増加することに用いられる。
【００８６】
一実施形態では、前記第１タイマーの第１時間長情報はネットワーク装置により構成され、又は、
前記第１タイマーの第１時間長情報は予め構成される。
【００８７】
一実施形態では、前記端末装置はダウンリンク信号に対応する受信帯域幅を前記第１受信帯域幅から第２受信帯域幅に切り替えた後、前記第２決定ユニットは第１タイマーに基づいて、ダウンリンク信号に対応する受信帯域幅が前記第１受信帯域幅又は前記第２受信帯域幅であることを決定する。
【００８８】
当業者であれば理解できるように、本願の実施例における上記伝送リソースの決定装置の関連説明については、本願の実施例における伝送リソースの決定方法の関連説明を参照して理解すればよい。
【００８９】
図８は本願の実施例に係る伝送リソースの決定方法の模式的なフローチャート２であり、図８に示すように、前記伝送リソースの決定方法は、
端末装置は第１キャリアにおける第１ダウンリンク制御チャネル又は第１指示信号に基づいて、第２キャリアを受信するか否かを決定し、前記第１ダウンリンク制御チャネルは前記第２キャリアにおけるデータチャネルをスケジューリングでき、前記第１指示信号は前記端末装置が第２ダウンリンク制御チャネルを監視するか否かを指示することに用いられ、前記第２ダウンリンク制御チャネルは前記第２キャリアにおけるデータチャネルをスケジューリングすることに用いられるステップ８０１を含む。
【００９０】
本願の実施例では、前記端末装置は携帯電話、タブレットＰＣ、車載端末装置等のネットワーク装置と通信できる任意の装置であってもよい。
【００９１】
本願の実施例では、前記第１キャリアはプライマリキャリアであってもよく、セカンダリキャリアであってもよく、前記第２キャリアはセカンダリキャリアであってもよいが、これに限定されない。第１キャリアにおけるダウンリンク制御チャネルは第２キャリアにおける制御チャネル及び／又はデータチャネルをスケジューリングでき、それにより伝送リソースを拡大する目的を実現する。本願の実施例の技術的解決手段は、第１キャリアが１つの第２キャリアをスケジューリングすることを例として説明されるが、これに限定されない。第１キャリアは複数の第２キャリアをスケジューリングしてもよく、第１キャリアが複数の第２キャリアをスケジューリングする場合、各第２キャリアのスケジューリングは本願の実施例の技術的解決手段に適用できる。
【００９２】
本願の実施例では、第１キャリアにおいて第１ダウンリンク制御チャネルを伝送してもよく、第１指示信号（省電力信号ともなる）を伝送してもよい。前記第１ダウンリンク制御チャネルは前記第２キャリアにおけるデータチャネルをスケジューリングできる。前記第１指示信号は前記端末装置が第２ダウンリンク制御チャネルを監視するか否かを指示することに用いられ、前記第２ダウンリンク制御チャネルは前記第２キャリアにおけるデータチャネルをスケジューリングすることに用いられる。ここで、第１ダウンリンク制御チャネルはサーチ空間のダウンリンク制御チャネル監視時刻に伝送され、同様に、第１指示信号は予め定義された第１指示信号監視時刻に伝送される。ただし、各第１指示信号監視時刻において、第１指示信号を伝送するように選択してもよく、第１指示信号を伝送しないように選択してもよい。更に、第１指示信号を伝送する場合、該第１指示信号はＰＤＣＣＨを監視するようにＵＥに指示してもよく（即ち、ＵＥがスケジューリングされることを指示する）、ＰＤＣＣＨを監視しないようにＵＥに指示してもよい（即ち、ＵＥがスケジューリングされないことを指示する）。１つの第１指示信号は１つ又は複数のダウンリンク制御チャネル監視時刻が関連付けられる。第１指示信号がＰＤＣＣＨを監視するようにＵＥに指示することは、第１指示信号が、該第１指示信号に関連付けられる１つ又は複数のダウンリンク制御チャネル監視時刻にＰＤＣＣＨ監視を行うようにＵＥに指示することを指す。更に、第１指示信号と１つ又は複数のダウンリンク制御チャネル監視時刻との間の関連付け関係は時間的に周期的に出現する。
【００９３】
本願の実施例では、端末装置は第１キャリアにおける第１ダウンリンク制御チャネルに基づいて第２キャリアを受信するか否かを決定してもよく、第１キャリアにおける第１指示信号に基づいて第２キャリアを受信するか否かを決定してもよい。以下、それぞれ説明する。
【００９４】
１）前記端末装置は前記第１キャリアにおいて、前記第２キャリアにおけるデータチャネルをスケジューリングする第１ダウンリンク制御チャネルを検出する前に、前記端末装置は前記第２キャリアを受信せず、前記端末装置は前記第１キャリアにおいて、前記第２キャリアにおけるデータチャネルをスケジューリングする第１ダウンリンク制御チャネルを検出した後、前記端末装置は前記第２キャリアを受信する。
【００９５】
ここで、前記端末装置が前記第２キャリアを受信しない第１状態から前記第２キャリアを受信する第２状態に切り替えることは第５切り替え時間長に対応し、前記端末装置が前記第１状態で検出した前記第１ダウンリンク制御チャネルと前記第１ダウンリンク制御チャネルによりスケジューリングされるデータチャネルとの間の時間間隔は前記第５切り替え時間長以上である。
【００９６】
２）前記端末装置は前記第１キャリアにおいて、前記第２ダウンリンク制御チャネルを監視するように前記端末装置に指示するための第１指示信号を検出する前に、前記端末装置は前記第２キャリアを受信せず、前記端末装置は前記第１キャリアにおいて、前記第２ダウンリンク制御チャネルを監視するように前記端末装置に指示するための第１指示信号を検出した後、前記端末装置は前記第２キャリアを受信する。
【００９７】
ここで、前記端末装置が前記第２キャリアを受信しない第１状態から前記第２キャリアを受信する第２状態に切り替えることは第５切り替え時間長に対応し、前記端末装置が前記第１状態で検出した、前記第２ダウンリンク制御チャネルを監視するように前記端末装置に指示するための第１指示信号と、前記第２ダウンリンク制御チャネル又は前記第２ダウンリンク制御チャネルによりスケジューリングされるデータチャネルとの間の時間間隔は前記第５切り替え時間長以上である。
【００９８】
ここで、前記第２ダウンリンク制御チャネルは前記第１キャリアに位置し、前記第１指示信号は前記第１キャリアにおける少なくとも１つの第２ダウンリンク制御チャネルと関連付け関係を有し、又は、前記第２ダウンリンク制御チャネルは前記第２キャリアに位置し、前記第１指示信号は前記第２キャリアにおける少なくとも１つの第２ダウンリンク制御チャネルと関連付け関係を有する。
【００９９】
一例では、ＵＥが第１キャリアにおいて第１指示信号を検出し、且つ該第１指示信号は第１キャリアにおける第２ダウンリンク制御チャネルを監視するようにＵＥに指示し、該第２ダウンリンク制御チャネルが第２キャリアにおけるデータチャネルをスケジューリングする場合、ＵＥは第２キャリアを受信しない状態から第２キャリアを受信する状態に切り替え、この切り替え過程は第５切り替え時間長に対応し、該第５切り替え時間長は第１指示信号とデータチャネルとの間の時間間隔未満である必要がある。
【０１００】
他の例では、ＵＥが第１キャリアにおいて第１指示信号を検出し、且つ該第１指示信号は第２キャリアにおける第２ダウンリンク制御チャネルを監視するようにＵＥに指示し、該第２ダウンリンク制御チャネルが第２キャリアにおけるデータチャネルをスケジューリングする場合、ＵＥは第２キャリアを受信しない状態から第２キャリアを受信する状態に切り替え、この切り替え過程は第５切り替え時間長に対応し、該第５切り替え時間長は第１指示信号と第２ダウンリンク制御チャネルとの間の時間間隔未満である必要がある。
【０１０１】
また、本願の実施例の技術的解決手段は、第２タイマーに基づいて、前記第２キャリアを受信するか否かを決定することを更に含む。更に、前記端末装置は前記第２キャリアを受信した後、第２タイマーに基づいて前記第２キャリアの受信をキャンセルするか否かを決定する。
【０１０２】
ここで、第２タイマーの第２時間長情報の値は時間長であってもよく、サブフレーム、又はタイムスロット、又はＰＤＣＣＨ  ｓｅａｒｃｈ  ｓｐａｃｅ周期の数であってもよい。それに対応して、第２タイマーの計時は時間の計数値であってもよく、サブフレーム、又はタイムスロット、又はＰＤＣＣＨ  ｓｅａｒｃｈ  ｓｐａｃｅ周期又は第１指示信号周期の計数値であってもよい。
【０１０３】
第１ダウンリンク制御チャネルに基づいて第２キャリアを受信するか否かを決定する場合について、前記端末装置は前記第２タイマーを起動し、前記端末装置は前記第１キャリアにおける任意ダウンリンク制御チャネル監視時刻に、前記第２キャリアにおけるデータチャネルをスケジューリングするダウンリンク制御チャネルを監視した場合、前記第２タイマーを再起動し、前記端末装置は前記第２キャリアにおけるデータチャネルをスケジューリングするダウンリンク制御チャネルを監視していない場合、前記第２タイマーが計時を継続し、前記第２タイマーがタイムアウトになる場合、前記端末装置は前記第２キャリアの受信をキャンセルする。更に、前記端末装置は前記第１キャリアにおける１つのダウンリンク制御チャネル監視時刻に、前記第２キャリアにおけるデータチャネルをスケジューリングするダウンリンク制御チャネルを監視していない場合、前記第２タイマーの計数値が増加する。
【０１０４】
第１指示信号に基づいて第２キャリアを受信するか否かを決定する場合について、前記端末装置は前記第２タイマーを起動し、前記端末装置は前記第１キャリアにおける任意の第１指示信号監視時刻に、前記第２ダウンリンク制御チャネルを監視するように前記端末装置に指示するための第１指示信号を監視した場合、前記第２タイマーを再起動し、前記端末装置は前記第２ダウンリンク制御チャネルを監視するように前記端末装置に指示するための第１指示信号を監視していない場合、前記第２タイマーが計時を継続し、前記第２タイマーがタイムアウトになる場合、前記端末装置は前記第２キャリアの受信をキャンセルする。更に、前記端末装置は前記第１キャリアにおける１つの第１指示信号監視時刻に、前記第２ダウンリンク制御チャネルを監視するように前記端末装置に指示するための第１指示信号を監視していない場合、前記第２タイマーの計数値が増加する。
【０１０５】
上記解決手段では、前記第２タイマーの第２時間長情報はネットワーク装置により構成され、又は、前記第２タイマーの第２時間長情報は予め構成される。
【０１０６】
上記解決手段では、前記端末装置は前記第２キャリアを受信することを決定した場合、前記端末装置は前記第２キャリアの第１帯域幅部分（ＢＷＰ）を受信し、前記第１ＢＷＰは前記端末装置に対してアクティブ状態にあるＢＷＰである。
【０１０７】
なお、第２キャリアがスケジューリングされていない場合、端末装置は第２キャリアを受信しなくてもよいが、端末装置が第２キャリアにおいて他の信号の受信ニーズを有し、例えば、チャネル状態情報（ＣＳＩ）測定、無線リソース測定（ＲＲＭ）測定に基づく構成又は同期ニーズを有する場合、端末装置は上記操作を実行する時、第２キャリアを受信する。例えば、ＣＳＩ測定が構成されている場合、ＣＳＩ測定を実行する必要があると、第２キャリアを受信する。上記操作が終了した後、第２キャリアが依然としてスケジューリングされていない場合、端末装置は第２キャリアを継続的に受信しなくてもよい。
【０１０８】
以下、具体的な応用例を参照しながら本願の実施例の技術的解決手段を例示的に説明する。
【０１０９】
応用例５
端末装置はキャリア１を受信するが、キャリア２を受信せず、端末装置はキャリア１においてＰＤＣＣＨを検出し、該ＰＤＣＣＨがキャリア２におけるデータ伝送をスケジューリングする場合、端末装置はキャリア２の受信を開始する。ここで、端末装置はキャリア１における各ＰＤＣＣＨ監視時刻にＰＤＣＣＨを監視し、キャリア２におけるデータ伝送をスケジューリングするＰＤＣＣＨを監視した場合、キャリア２の受信を開始する。それにより、端末の省電力化を実現するだけでなく、データ伝送の漏れを回避できる。
【０１１０】
上記解決手段では、端末装置はキャリア２の受信を開始することを決定し、キャリア２において該端末装置に対する複数のＢＷＰが構成され、そのうちの１つのＢＷＰがアクティブ状態にある場合、端末装置はキャリア２に基づいてアクティブ状態のＢＷＰにおいてデータ伝送の受信を開始する。
【０１１１】
応用例６
端末装置はキャリア１を受信するが、キャリア２を受信せず、端末装置はキャリア１において省電力信号を検出し、該省電力信号はキャリア１におけるＰＤＣＣＨを監視することを指示し、該ＰＤＣＣＨがキャリア２におけるデータ伝送をスケジューリングする場合、端末装置はキャリア２の受信を開始する。ここで、端末装置はキャリア１における各省電力信号監視時刻に省電力信号を監視し、キャリア１におけるＰＤＣＣＨを監視するように端末装置に指示するための省電力信号を監視し、且つ該ＰＤＣＣＨがキャリア２におけるデータ伝送をスケジューリングする場合、端末装置はキャリア２の受信を開始する。それにより、端末の省電力化を実現するだけでなく、データ伝送の漏れを回避できる。
【０１１２】
上記解決手段では、省電力信号により指示される監視する必要があるＰＤＣＣＨはキャリア１に位置するが、これに限定されず、省電力信号により指示される監視する必要があるＰＤＣＣＨはキャリア２に位置してもよい。具体的に、端末装置はキャリア１において、キャリア２におけるＰＤＣＣＨを監視することを指示するための省電力信号を検出し、該ＰＤＣＣＨがキャリア２におけるデータ伝送をスケジューリングする場合、端末装置はキャリア２の受信を開始する。ここで、端末装置はキャリア１における各省電力信号監視時刻に省電力信号を監視し、キャリア２におけるＰＤＣＣＨを監視するように端末装置に指示するための省電力信号を監視し、且つ該ＰＤＣＣＨがキャリア２におけるデータ伝送をスケジューリングする場合、端末装置はキャリア２の受信を開始する。
【０１１３】
応用例７
端末装置が第２キャリアを受信するか否かの状態間で頻繁に切り替えることを回避するために、端末装置は第２キャリアをスケジューリングする第１ダウンリンク制御チャネル又は第１指示信号を受信した後、一定の時間内に第２キャリアを受信し続ける必要がある。端末装置は第２キャリアを受信した後、一定の時間に第１キャリアにおいて第２キャリアに対するスケジューリングを受信していない場合、端末装置は第２キャリアの受信をキャンセルして、省電力を図る。
【０１１４】
上記ニーズは第２タイマー（以下、第２ｔｉｍｅｒと略称される）制御の方式に基づいて実現されてもよい。例えば、第１キャリアにおいて第２キャリアをスケジューリングするＰＤＣＣＨを受信した後に第２タイマーを起動し、一定の時間内に第１キャリアにおいて第２キャリアをスケジューリングする新たなＰＤＣＣＨを受信しておらず、且つ第２タイマーがタイムアウトになる場合のみ、端末装置は第２キャリアの受信をキャンセルする。具体的に、
端末装置は第１キャリアにおいて第２キャリアをスケジューリングするＰＤＣＣＨを監視する度に、端末装置は前記第２ｔｉｍｅｒを再起動し、
端末装置は第１キャリアにおける１つのＰＤＣＣＨ監視時刻に、第２キャリアをスケジューリングするＰＤＣＣＨを検出していない場合、前記第２ｔｉｍｅｒの計数値が増加し、
前記第２ｔｉｍｅｒがタイムアウトになる場合、端末装置は第２キャリアの受信をキャンセルする。
【０１１５】
更に例えば、端末装置は第１キャリアにおいて、第２キャリアをスケジューリングするＰＤＣＣＨを監視することを指示する省電力信号を受信した場合、第２タイマーを起動し、一定の時間内に第１キャリアにおいて、第２キャリアをスケジューリングするＰＤＣＣＨを監視することを指示する新たな省電力信号を受信しておらず、且つ第２タイマーがタイムアウトになる場合のみ、端末装置は第２キャリアの受信をキャンセルする。具体的に、
端末装置は第１キャリアにおいて、第２キャリアをスケジューリングするＰＤＣＣＨを監視することを指示するための省電力信号を監視する度に、端末装置は前記第２ｔｉｍｅｒを再起動し、
端末装置は第１キャリアにおける１つの省電力信号監視時刻に、第２キャリアをスケジューリングするＰＤＣＣＨを監視することを指示するための省電力信号を検出していない場合、前記第２ｔｉｍｅｒの計数値が増加し、
前記第２ｔｉｍｅｒがタイムアウトになる場合、端末装置は第２キャリアの受信をキャンセルする。
【０１１６】
図９は本願の実施例に係る伝送リソースの決定装置の構造模式図２であり、図９に示すように、前記装置は第１決定ユニット９０１を備え、
前記第１決定ユニット９０１は、第１キャリアにおける第１ダウンリンク制御チャネル又は第１指示信号に基づいて、第２キャリアを受信するか否かを決定することに用いられ、前記第１ダウンリンク制御チャネルは前記第２キャリアにおけるデータチャネルをスケジューリングでき、前記第１指示信号は前記端末装置が第２ダウンリンク制御チャネルを監視するか否かを指示することに用いられ、前記第２ダウンリンク制御チャネルは前記第２キャリアにおけるデータチャネルをスケジューリングすることに用いられる。
【０１１７】
一実施形態では、前記端末装置は前記第１キャリアにおいて、前記第２キャリアにおけるデータチャネルをスケジューリングする第１ダウンリンク制御チャネルを検出する前に、前記第１決定ユニット９０１は端末装置が前記第２キャリアを受信しないことを決定し、
前記端末装置は前記第１キャリアにおいて、前記第２キャリアにおけるデータチャネルをスケジューリングする第１ダウンリンク制御チャネルを検出した後、前記第１決定ユニット９０１は前記端末装置が前記第２キャリアを受信することを決定する。
【０１１８】
一実施形態では、前記装置は切り替えユニット９０２を更に備え、
前記切り替えユニット９０２は、前記端末装置を前記第２キャリアを受信しない第１状態から前記第２キャリアを受信する第２状態に切り替えることに用いられ、前記第１状態から前記第２状態に切り替えることは第５切り替え時間長に対応し、前記端末装置が前記第１状態で検出した前記第１ダウンリンク制御チャネルと前記第１ダウンリンク制御チャネルによりスケジューリングされるデータチャネルとの間の時間間隔は前記第５切り替え時間長以上である。
【０１１９】
一実施形態では、前記端末装置は前記第１キャリアにおいて、前記第２ダウンリンク制御チャネルを監視するように前記端末装置に指示するための第１指示信号を検出する前に、前記第１決定ユニット９０１は端末装置が前記第２キャリアを受信しないことを決定し、
前記端末装置は前記第１キャリアにおいて、前記第２ダウンリンク制御チャネルを監視するように前記端末装置に指示するための第１指示信号を検出した後、前記第１決定ユニット９０１は前記端末装置が前記第２キャリアを受信することを決定する。
【０１２０】
一実施形態では、前記装置は切り替えユニット９０２を更に備え、
前記切り替えユニット９０２は、前記端末装置を前記第２キャリアを受信しない第１状態から前記第２キャリアを受信する第２状態に切り替えることに用いられ、前記第１状態から前記第２状態に切り替えることは第５切り替え時間長に対応し、前記端末装置が前記第１状態で検出した、前記第２ダウンリンク制御チャネルを監視するように前記端末装置に指示するための第１指示信号と、前記第２ダウンリンク制御チャネル又は前記第２ダウンリンク制御チャネルによりスケジューリングされるデータチャネルとの間の時間間隔は前記第５切り替え時間長以上である。
【０１２１】
一実施形態では、前記第２ダウンリンク制御チャネルは前記第１キャリアに位置し、前記第１指示信号は前記第１キャリアにおける少なくとも１つの第２ダウンリンク制御チャネルと関連付け関係を有し、又は、
前記第２ダウンリンク制御チャネルは前記第２キャリアに位置し、前記第１指示信号は前記第２キャリアにおける少なくとも１つの第２ダウンリンク制御チャネルと関連付け関係を有する。
【０１２２】
一実施形態では、前記装置は、
第２タイマーに基づいて、前記第２キャリアを受信するか否かを決定することに用いられる第２決定ユニット９０３を更に備える。
【０１２３】
一実施形態では、前記端末装置が前記第２キャリアを受信した後、前記第２決定ユニット９０３は第２タイマーに基づいて前記第２キャリアの受信をキャンセルするか否かを決定する。
【０１２４】
一実施形態では、前記第２決定ユニット９０３は、
前記第２タイマーを起動し、前記端末装置は前記第１キャリアにおける任意ダウンリンク制御チャネル監視時刻に、前記第２キャリアにおけるデータチャネルをスケジューリングするダウンリンク制御チャネルを監視した場合、前記第２タイマーを再起動することと、
前記端末装置は前記第２キャリアにおけるデータチャネルをスケジューリングするダウンリンク制御チャネルを監視していない場合、前記第２タイマーが計時を継続することと、
前記第２タイマーがタイムアウトになる場合、前記端末装置は前記第２キャリアの受信をキャンセルすることと、に用いられる。
【０１２５】
一実施形態では、前記第２決定ユニット９０３は、
前記端末装置は前記第１キャリアにおける１つのダウンリンク制御チャネル監視時刻に、前記第２キャリアにおけるデータチャネルをスケジューリングするダウンリンク制御チャネルを監視していない場合、前記第２タイマーの計数値が増加することに用いられる。
【０１２６】
一実施形態では、前記第２決定ユニット９０３は、
前記第２タイマーを起動し、前記端末装置は前記第１キャリアにおける任意の第１指示信号監視時刻に、前記第２ダウンリンク制御チャネルを監視するように前記端末装置に指示するための第１指示信号を監視した場合、前記第２タイマーを再起動することと、
前記端末装置は前記第２ダウンリンク制御チャネルを監視するように前記端末装置に指示するための第１指示信号を監視していない場合、前記第２タイマーが計時を継続することと、
前記第２タイマーがタイムアウトになる場合、前記端末装置は前記第２キャリアの受信をキャンセルすることと、に用いられる。
【０１２７】
一実施形態では、前記第２決定ユニット９０３は、
前記端末装置は前記第１キャリアにおける１つの第１指示信号監視時刻に、前記第２ダウンリンク制御チャネルを監視するように前記端末装置に指示するための第１指示信号を監視していない場合、前記第２タイマーの計数値が増加することに用いられる。
【０１２８】
一実施形態では、前記第２タイマーの第２時間長情報はネットワーク装置により構成され、又は、
前記第２タイマーの第２時間長情報は予め構成される。
【０１２９】
一実施形態では、前記装置は、前記第２キャリアを受信することを決定した場合、前記第２キャリアの第１帯域幅部分（ＢＷＰ）を受信することに用いられる伝送ユニット９０４を更に備え、前記第１ＢＷＰは前記端末装置に対してアクティブ状態にあるＢＷＰである。
【０１３０】
図１０は本願の実施例に係る通信装置６００の構造模式図である。該通信装置は端末装置であってもよい。図１０に示される通信装置６００はプロセッサ６１０を備え、プロセッサ６１０はメモリからコンピュータプログラムを呼び出して実行して、本願の実施例における方法を実現することができる。
【０１３１】
選択肢として、図１０に示すように、通信装置６００はメモリ６２０を更に備えてもよい。プロセッサ６１０はメモリ６２０からコンピュータプログラムを呼び出して実行して、本願の実施例における方法を実現することができる。
【０１３２】
メモリ６２０はプロセッサ６１０から独立した単独なデバイスであってもよく、プロセッサ６１０に集積されてもよい。
【０１３３】
選択肢として、図１０に示すように、通信装置６００は送受信機６３０を更に備えてもよく、プロセッサ６１０は該送受信機６３０と他の装置との通信を制御でき、具体的に、他の装置に情報又はデータを送信し、又は他の装置から送信された情報又はデータを受信することができる。
【０１３４】
送受信機６３０は送信機及び受信機を備えてもよい。送受信機６３０はアンテナを更に備えてもよく、アンテナの数は１つ又は複数でありうる。
【０１３５】
選択肢として、該通信装置６００は具体的に、本願の実施例におけるネットワーク装置であってもよく、且つ該通信装置６００は本願の実施例における各方法のネットワーク装置により実現される対応するプロセスを実現できる。簡潔のために、ここでは詳細説明を省略する。
【０１３６】
選択肢として、該通信装置６００は具体的に本願の実施例における移動端末装置／端末装置であってもよく、且つ該通信装置６００は本願の実施例における各方法の移動端末装置／端末装置により実現される対応するプロセスを実現できる。簡潔のために、ここでは詳細説明を省略する。
【０１３７】
図１１は本願の実施例におけるチップの構造模式図である。図１１に示されるチップ７００はプロセッサ７１０を備え、プロセッサ７１０はメモリからコンピュータプログラムを呼び出して実行して、本願の実施例における方法を実現することができる。
【０１３８】
選択肢として、図１１に示すように、チップ７００はメモリ７２０を更に備えてもよい。プロセッサ７１０はメモリ７２０からコンピュータプログラムを呼び出して実行して、本願の実施例における方法を実現することができる。
【０１３９】
メモリ７２０はプロセッサ７１０から独立した単独なデバイスであってもよく、プロセッサ７１０に集積されてもよい。
【０１４０】
選択肢として、該チップ７００は入力インタフェース７３０を更に備えてもよい。プロセッサ７１０は該入力インタフェース７３０と他の装置又はチップとの通信を制御でき、具体的に、他の装置又はチップから送信された情報又はデータを取得できる。
【０１４１】
選択肢として、該チップ７００は出力インタフェース７４０を更に備えてもよい。プロセッサ７１０は該出力インタフェース７４０と他の装置又はチップとの通信を制御でき、具体的に、他の装置又はチップに情報又はデータを出力できる。
【０１４２】
選択肢として、該チップは本願の実施例におけるネットワーク装置に適用でき、本願の実施例における各方法のネットワーク装置により実現される対応するプロセスを実現できる。簡潔のために、ここでは詳細説明を省略する。
【０１４３】
選択肢として、該チップは本願の実施例における移動端末装置／端末装置に適用でき、本願の実施例における各方法の移動端末装置／端末装置により実現される対応するプロセスを実現できる。簡潔のために、ここでは詳細説明を省略する。
【０１４４】
理解されるように、本願の実施例に係るチップはシステムレベルチップ、システムチップ、チップシステム又はシステムオンチップ等とも呼ばれてもよい。
【０１４５】
図１２は本願の実施例に係る通信システム９００の模式的なブロック図である。図１２に示すように、該通信システム９００は端末装置９１０及びネットワーク装置９２０を備える。
【０１４６】
該端末装置９１０は、上記方法における端末装置により実現される対応する機能を実現することに用いられ、該ネットワーク装置９２０は上記方法におけるネットワーク装置により実現される対応する機能を実現することに用いられる。簡潔のために、ここでは詳細説明を省略する。
【０１４７】
理解されるように、本願の実施例におけるプロセッサは信号処理能力を有する集積回路チップでありうる。実現の過程において、上記方法の実施例の各ステップはプロセッサにおけるハードウェアの集積論理回路又はソフトウェアの形態の命令によって行われる。上記プロセッサは汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は他のプログラマブルロジックデバイス、ディスクリートゲート又はトランジスタロジックデバイス、ディスクリートハードウェアユニットであってもよい。本願の実施例に開示されている各方法、ステップ及び論理ブロック図を実現又は実行できる。汎用プロセッサはマイクロプロセッサであってもよく、又は該プロセッサは任意の通常のプロセッサ等であってもよい。本願の実施例に開示されている方法のステップは直接にハードウェアデコードプロセッサによって実行され、又はデコードプロセッサにおけるハードウェア及びソフトウェアモジュールの組合せによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタ等の本分野の成熟した記憶媒体に位置してもよい。該記憶媒体はメモリに位置し、プロセッサはメモリにおける情報を読み取り、そのハードウェアと組み合わせて上記方法のステップを行う。
【０１４８】
理解されるように、本願の実施例におけるメモリは揮発性メモリ又は不揮発性メモリであってもよく、又は揮発性及び不揮発性メモリの両方を含んでもよい。不揮発性メモリは読み出し専用メモリ（Ｒｅａｄ−Ｏｎｌｙ  Ｍｅｍｏｒｙ、ＲＯＭ）、プログラマブル読み出し専用メモリ（Ｐｒｏｇｒａｍｍａｂｌｅ  ＲＯＭ、ＰＲＯＭ）、消去可能プログラマブル読み出し専用メモリ（Ｅｒａｓａｂｌｅ  ＰＲＯＭ、ＥＰＲＯＭ）、電気的消去可能プログラマブル読み出し専用メモリ（Ｅｌｅｃｔｒｉｃａｌｌｙ  ＥＰＲＯＭ、ＥＥＰＲＯＭ）又はフラッシュメモリであってもよい。揮発性メモリはランダムアクセスメモリ（Ｒａｎｄｏｍ  Ａｃｃｅｓｓ  Ｍｅｍｏｒｙ、ＲＡＭ）であってもよく、外部高速キャッシュメモリとして機能する。制限的ではなく例示的に説明すると、様々な形態のＲＡＭ、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張同期ダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲ  ＲＡＭ）は使用可能である。なお、本明細書に記載のシステム及び方法のメモリはこれら及び任意の適切なタイプのメモリを含むが、それらに限定されない。
【０１４９】
理解されるように、上記メモリは制限的ではなく例示的なものである。例えば、本願の実施例におけるメモリは更にスタティックランダムアクセスメモリ（ｓｔａｔｉｃ  ＲＡＭ、ＳＲＡＭ）、ダイナミックランダムアクセスメモリ（ｄｙｎａｍｉｃ  ＲＡＭ、ＤＲＡＭ）、同期ダイナミックランダムアクセスメモリ（ｓｙｎｃｈｒｏｎｏｕｓ  ＤＲＡＭ、ＳＤＲＡＭ）、ダブルデータレート同期ダイナミックランダムアクセスメモリ（ｄｏｕｂｌｅ  ｄａｔａ  ｒａｔｅ  ＳＤＲＡＭ、ＤＤＲ  ＳＤＲＡＭ）、拡張同期ダイナミックランダムアクセスメモリ（ｅｎｈａｎｃｅｄ  ＳＤＲＡＭ、ＥＳＤＲＡＭ）、シンクリンクダイナミックランダムアクセスメモリ（ｓｙｎｃｈ  ｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲ  ＲＡＭ）等であってもよい。すなわち、本願の実施例におけるメモリはこれら及び任意の適切なタイプのメモリを含むが、それらに限定されない。
【０１５０】
本願の実施例はコンピュータ可読記憶媒体を更に提供し、コンピュータプログラムを記憶することに用いられる。
【０１５１】
選択肢として、該コンピュータ可読記憶媒体は本願の実施例におけるネットワーク装置に適用でき、該コンピュータプログラムはコンピュータに本願の実施例における各方法のネットワーク装置により実現される対応するプロセスを実行させる。簡潔のために、ここでは詳細説明を省略する。
【０１５２】
選択肢として、該コンピュータ可読記憶媒体は本願の実施例における移動端末装置／端末装置に適用でき、該コンピュータプログラムはコンピュータに本願の実施例における各方法の移動端末装置／端末装置により実現される対応するプロセスを実行させる。簡潔のために、ここでは詳細説明を省略する。
【０１５３】
本願の実施例はコンピュータプログラム製品を更に提供し、コンピュータプログラム命令を含む。
【０１５４】
選択肢として、該コンピュータプログラム製品は本願の実施例におけるネットワーク装置に適用でき、該コンピュータプログラム命令はコンピュータに本願の実施例における各方法のネットワーク装置により実現される対応するプロセスを実行させる。簡潔のために、ここでは詳細説明を省略する。
【０１５５】
選択肢として、該コンピュータプログラム製品は本願の実施例における移動端末装置／端末装置に適用でき、該コンピュータプログラム命令はコンピュータに本願の実施例における各方法の移動端末装置／端末装置により実現される対応するプロセスを実行させる。簡潔のために、ここでは詳細説明を省略する。
【０１５６】
本願の実施例はコンピュータプログラムを更に提供する。
【０１５７】
選択肢として、該コンピュータプログラムは本願の実施例におけるネットワーク装置に適用でき、該コンピュータプログラムがコンピュータにより実行されると、コンピュータに本願の実施例における各方法のネットワーク装置により実現される対応するプロセスを実行させる。簡潔のために、ここでは詳細説明を省略する。
【０１５８】
選択肢として、該コンピュータプログラムは本願の実施例における移動端末装置／端末装置に適用でき、該コンピュータプログラムがコンピュータにより実行されると、コンピュータに本願の実施例における各方法の移動端末装置／端末装置により実現される対応するプロセスを実行させる。簡潔のために、ここでは詳細説明を省略する。
【０１５９】
当業者であれば理解できるように、本明細書に開示されている実施例を参照して説明された各例のユニット及びアルゴリズムのステップを電子ハードウェア、又はコンピュータソフトウェアと電子ハードウェアとの組合せによって実現できる。これらの機能をハードウェアで実行するかソフトウェアで実行するかは、技術的解決手段の特定の応用及び設計制約条件に応じて決められる。当業者は各特定応用に対して異なる方法でここの説明される機能を実現することができるが、このような実現は本願の範囲を超えるものと見なされるべきではない。
【０１６０】
当業者であれば理解できるように、説明の便宜及び簡潔上、上記説明したシステム、装置及びユニットの具体的な動作プロセスについては、上記方法の実施例の対応するプロセスを参照すればよく、ここでは詳細説明を省略する。
【０１６１】
本願によるいくつかの実施例では、開示されているシステム、装置及び方法を他の形態で実現できると理解できる。例えば、以上説明された装置の実施例は単に例示的なものであり、例えば、前記ユニットの分割は単に１種のロジック機能分割であり、実際の実現では他の分割方式を採用してもよく、例えば複数のユニット又は要素を他のシステムに結合又は集積し、又はいくつかの特徴を無視したり実行しなかったりする。一方、表示又は検討された相互の結合又は直接結合又は通信接続はいくつかのインタフェース、装置又はユニットを介した間接結合又は通信接続であってもよく、電気的、機械的又は他の形態としてもよい。
【０１６２】
前記分離部材として説明されたユニットは物理的に分離しているものであってもよく、物理的に分離しているものでなくてもよく、ユニットとして表示される部材は物理ユニットであってもよく物理ユニットでなくてもよく、即ち、１つの場所に位置してもよく、複数のネットワークユニットに分散してもよい。実際の必要に応じて一部又は全部のユニットを選択して本実施例の解決手段の目的を実現することができる。
【０１６３】
また、本願の実施例の各々における各機能ユニットは１つの処理ユニットに集積されてもよく、別々に物理的に存在してもよく、２つ以上のユニットは１つのユニットに集積されてもよい。
【０１６４】
前記機能はソフトウェア機能ユニットの形態で実現され独立した製品として販売又は使用される場合、１つのコンピュータ可読記憶媒体に記憶される。このような理解に基づいて、本願の技術的解決手段は本質的に又は従来技術に貢献する部分又は該技術的解決手段の一部はソフトウェア製品の形態で実施されてもよい。該コンピュータソフトウェア製品は１つの記憶媒体に記憶され、１台のコンピュータ装置（パーソナルコンピュータ、サーバ、又はネットワーク装置等であってもよい）に本願の実施例の各々に係る方法の全部又は一部のステップを実行させるための複数の命令を含む。上記記憶媒体はＵディスク、モバイルディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスク等のプロクラムコードを記憶可能な種々の媒体を含む。
【０１６５】
以上は、本願の具体的な実施形態に過ぎず、本願の保護範囲はそれに限定されるものではない。当業者が本願に開示されている技術範囲を逸脱せずに容易に想到し得る変更や置換は、すべて本願の保護範囲に属する。従って、本願の保護範囲は特許請求の範囲の保護範囲に準じるべきである。
【図１】
2021533604.tif 000005
【図２】
2021533604.tif 000006
【図３】
2021533604.tif 000007
【図４】
2021533604.tif 000008
【図５】
2021533604.tif 000009
【図６】
2021533604.tif 000010
【図７】
2021533604.tif 000011
【図８】
2021533604.tif 000012
【図９】
2021533604.tif 000013
【図１０】
2021533604.tif 000014
【図１１】
2021533604.tif 000015
【図１２】
2021533604.tif 000016
【国際調査報告】
2021533604.tif 000017
2021533604.tif 000018
2021533604.tif 000019
2021533604.tif 000020